(57)【要約】【課題】受信した放送番組のタイトル名等の番組情報から抽出したキーワードに基づいて、放送番組に適合した音場モードを実現するための音場制御方法を提供する。【解決手段】本発明の音場制御方法は、システムコントローラの制御により放送番組に付加されている番組情報から少なくとも番組タイトル名に含まれるキーワードを抽出し、この抽出したキーワードに対応する音場モードに係る情報とこの音場モードに対応して音声信号に加工を施すための音場制御情報とを、予め設定されたキーワードごとに複数の音場モードの何れか一つの音場モードに係る情報とその音場制御情報とを関連付けして登録したデータベースを参照して求める。そして、この音場制御情報に基づいて音声信号に加工を施すための制御指令を作成してこの信号をオーディオ制御部に出力する。【選択図】図１５
2008301148.tif 000002
【特許請求の範囲】
【請求項１】
複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加された番組情報のうち、少なくとも番組タイトル名に関連する情報からキーワードを抽出し、
前記抽出したキーワードに対応する音場制御情報を、予め設定したキーワードごとに前記音場モードに係る情報と該音場モードに係る情報に対応して前記音声信号に加工を施すための音場制御情報とを関連付けして登録したデータベースを参照して求め、
前記求めた前記音場制御情報に基づいて前記加工を施すための制御指令を作成し、作成した前記制御指令の信号を前記オーディオ制御部に出力することを特徴とする音場制御方法。
【請求項２】
複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加された番組情報をメモリに読み取り、
前記読み取った番組情報の少なくとも番組タイトル名に関連する情報からキーワードを抽出し、
前記抽出したキーワードに対応する前記音場モードに係る情報を、予め設定したキーワードごとに前記複数の音場モードに係る情報の何れか一つの情報を登録したキーワードデータベースを参照して求め、
前記求めた前記音場モードに係る情報に対応して前記音声信号に加工を施すために設定された音場制御情報を、前記複数の音場モードに係る情報ごとに前記音場制御情報を登録した音場制御情報テーブルを参照して求め、
前記求めた前記音場制御情報に基づいて、前記音声信号に加工を施すための制御指令を作成し、
作成した前記制御指令の信号を前記オーディオ制御部に出力することを特徴とする音場制御方法。
【請求項３】
複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加された番組情報のうち、少なくとも番組タイトル名に関連する情報からキーワードを抽出し、
前記抽出したキーワードに対応する前記音場モードに係る情報とその音場制御情報を、予め設定したキーワードごとに前記音場モードに係る情報と該音場モードに係る情報に対応して前記音声信号に加工を施すための音場制御情報とを関連付けして登録したデータベースを参照して求め、
前記求めた前記音場モードに係る情報に対応する前記キーワードに対して予め設定されたジャンル情報が、前記番組情報から読み取ったジャンル情報と一致したときに、前記一致した前記ジャンル情報に対応する前記音場モードに係わる情報の音場制御情報に基づいて前記加工を施すための制御指令を作成し、作成した前記制御指令の信号を前記オーディオ制御部に出力することを特徴とする音場制御方法。
【請求項４】
複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加されている番組情報をメモリに読み取り、
前記読み取った番組情報の少なくとも番組タイトル名に関連する情報からキーワードを抽出し、
前記抽出したキーワードに対応する前記音場モードに係る情報とジャンル情報を、予め設定したキーワードごとに前記複数の音場モードに係る情報の何れか一つの情報と前記番組情報に含まれるジャンル情報の一つを登録したキーワード・ジャンル情報データベースを参照して求め、
前記求めた前記音場モードに係る情報に対応して前記音声信号に加工を施すために設定された音場制御情報を、前記複数の音場モードに係る情報ごとに前記音場制御情報を登録した音場制御情報テーブルを参照して求め、
前記キーワード・ジャンル情報データベースを参照して求めた前記ジャンル情報が、前記番組情報から読み取ったジャンル情報と一致するか否かを判定し、
前記一致すると判定された前記ジャンル情報に対応する前記音場モードに係わる情報の音場制御情報に基づいて前記音声信号に加工を施すための制御指令を作成し、
作成した前記制御指令の信号を前記オーディオ制御部に出力することを特徴とする音場制御方法。
【請求項５】
前記キーワードデータベースを参照して前記キーワードに対応する前記音場モードに係る情報が複数種求められたときに、
前記複数の音場モードに係る情報から１種を選択するために予め設定した優先順位に関する情報を参照して、前記求められた複数種の前記音場モードに係る情報から１種を選択することを特徴とする請求項２に記載の音場制御方法。
【請求項６】
前記キーワードデータベースを参照して前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求め、
前記求めた音場制御情報に基づいて前記音声信号に加工を施すための制御指令を作成することを特徴とする請求項２に記載の音場制御方法。
【請求項７】
前記キーワード・ジャンル情報データベースを参照して前記キーワードに対応する前記音場モードに係る情報が複数種求められたときに、
前記複数の音場モードに係る情報から１種を選択するために予め設定した優先順位に関する情報を参照して、前記求められた複数種の前記音場モードに係る情報から１種を選択することを特徴とする請求項４に記載の音場制御方法。
【請求項８】
前記キーワード・ジャンル情報データベースを参照して前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求め、
前記求めた音場制御情報に基づいて前記音声信号に加工を施すための制御指令を作成することを特徴とする請求項４に記載の音場制御方法。
【請求項９】
前記キーワード・ジャンル情報データベースを参照して求めた前記ジャンル情報が、前記番組情報から読み取ったジャンル情報と一致しないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求め、
前記求めた音場制御情報に基づいて前記音声信号に加工を施すための制御指令を作成することを特徴とする請求項４に記載の音場制御方法。
【請求項１０】
前記ジャンル情報・入力チャンネル数別音場モードテーブルを参照して複数種の前記音場モードに係る情報が求められたときに、
前記複数の音場モードに係る情報から１種を選択するために予め設定した優先順位に関する情報を参照して、前記複数種の前記音場モードに係る情報から１種の音場モードに係る情報を選択することを特徴とする請求項６、請求項８、請求項９のいずれかに記載の音場制御方法。
【請求項１１】
前記番組タイトル名に関連する情報からキーワードを抽出する処理は、前記番組タイトル名を抽出する処理と、前記番組タイトル名に含まれる名詞に係る情報を抽出する処理の一方又は双方を備えていることを特徴とする請求項１から請求項４のいずれかに記載の音場制御方法。
【請求項１２】
複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加された番組情報のうち、少なくとも番組タイトル名に関連する情報からキーワードを抽出するキーワード抽出ステップと、
前記抽出したキーワードに対応する音場制御情報を、予め設定したキーワードごとに前記音場モードに係る情報と該音場モードに係る情報に対応して前記音声信号に加工を施すための音場制御情報とを関連付けして登録したデータベースを参照して求めるステップと、
前記求めた前記音場制御情報に基づいて前記加工を施すための制御指令を作成し、作成した前記制御指令の信号を前記オーディオ制御部に出力するステップと、
を備えていることを特徴とする音場制御プログラム。
【請求項１３】
複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加されている番組情報をメモリに読み取るステップと、
前記読み取った番組情報の少なくとも番組タイトル名に関連する情報からキーワードを抽出するキーワード抽出ステップと、
前記抽出したキーワードに対応する前記音場モードに係る情報を、予め設定したキーワードごとに前記複数の音場モードに係る情報の何れか一つの情報を登録したキーワードデータベースを参照して求めるキーワード照合ステップと、
前記キーワード照合ステップで求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワードによる音場制御ステップと、
前記求めた前記音場制御情報に基づいて、前記音声信号に加工を施すための制御指令を作成するステップと、
作成した前記制御指令の信号を前記オーディオ制御部に出力するステップと、
を備えていることを特徴とする音場制御プログラム。
【請求項１４】
複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加された番組情報のうち、少なくとも番組タイトル名に関連する情報からキーワードを抽出するキーワード抽出ステップと、
前記抽出したキーワードに対応する前記音場モードに係る情報とその音場制御情報を、予め設定したキーワードごとに前記音場モードに係る情報と該音場モードに係る情報に対応して前記音声信号に加工を施すための音場制御情報とを関連付けして登録したデータベースを参照して求めるキーワード照合ステップと、
前記求めた前記音場モードに係る情報に対応する前記キーワードに対して予め設定されたジャンル情報が、前記番組情報から読み取ったジャンル情報と一致したときに、前記一致した前記ジャンル情報に対応する前記音場モードに係わる情報の音場制御情報に基づいて前記加工を施すための制御指令を作成し、作成した前記制御指令の信号を前記オーディオ制御部に出力するステップと、
を備えていることを特徴とする音場制御プログラム。
【請求項１５】
複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加されている番組情報をメモリに読み取るステップと、
前記読み取った番組情報の少なくとも番組タイトル名に関連する情報からキーワードを抽出するキーワード抽出ステップと、
前記抽出したキーワードに対応する前記音場モードに係る情報とジャンル情報を、予め設定したキーワードごとに前記複数の音場モードに係る情報の何れか一つの情報と前記番組情報に含まれるジャンル情報の一つを登録したキーワード・ジャンル情報データベースを参照して求めるジャンル情報判定ステップと、
前記ジャンル情報判定ステップで求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワード・ジャンル情報による音場制御ステップと、
前記ジャンル情報判定ステップで求めた前記ジャンル情報が、前記番組情報から読み取ったジャンル情報と一致するか否かを判定するジャンル情報有効性判定ステップと、
前記一致すると判定された前記ジャンル情報に対応する前記音場モードに係る情報の音場制御情報に基づいて前記音声信号に加工を施すための制御指令を作成するステップと、
作成した制御指令の信号を前記オーディオ制御部に出力するステップと、
を備えていることを特徴とする音場制御プログラム。
【請求項１６】
前記キーワード照合ステップの実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行うステップを備えていることを特徴とする請求項１３又は請求項１４に記載の音場制御プログラム。
【請求項１７】
前記キーワード照合ステップの実行により、前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御ステップを備えていることを特徴とする請求項１３又は請求項１４に記載の音場制御プログラム。
【請求項１８】
前記ジャンル情報判定ステップの実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行うステップを備えていることを特徴とする請求項１５記載の音場制御プログラム。
【請求項１９】
前記ジャンル情報判定ステップの実行により、前記音場モードに係る情報が求められないとき、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御ステップを備えていることを特徴とする請求項１５に記載の音場制御プログラム。
【請求項２０】
前記ジャンル情報有効性判定ステップの実行により、前記キーワード・ジャンル情報データベースを参照して求めた前記ジャンル情報が前記番組情報から読み取ったジャンル情報と一致しないと判定されたときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル情報・入力チャンネル数による音場制御ステップを備えていることを特徴とする請求項１５に記載の音場制御プログラム。
【請求項２１】
前記ジャンル情報・入力チャンネル数による音場制御ステップの実行により、複数種の前記音場モードに係る情報が求められたときに、
前記複数の音場モードに係る情報から１種を選択するために予め設定した優先順位に関する情報を参照して、前記複数種の前記音場モードに係る情報から１種の音場モードに係る情報を選択する処理を行うステップを備えていることを特徴とする請求項１７、請求項１９、請求項２０のいずれかに記載の音場制御プログラム。
【請求項２２】
前記キーワード抽出ステップは、前記番組タイトル名に関連する情報から前記タイトル名を抽出するステップと、前記タイトル名に含まれる名詞に係る情報を抽出するステップの一方又は双方のステップを備えていることを特徴とする請求項１２から請求項１５のいずれかに記載の音場制御プログラム。
【請求項２３】
複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加された番組情報のうち、少なくとも番組タイトル名に関連する情報からキーワードを抽出するキーワード抽出手段と、
前記抽出したキーワードに対応する音場制御情報を、予め設定したキーワードごとに前記音場モードに係る情報と該音場モードに係る情報に対応して前記音声信号に加工を施すための音場制御情報とを関連付けして登録したデータベースを参照して求める手段と、
前記求めた前記音場制御情報に基づいて前記加工を施すための制御指令を作成し、作成した前記制御指令の信号を前記オーディオ制御部に出力する手段と、
を備えていることを特徴とする音声再生装置。
【請求項２４】
複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加されている番組情報をメモリに読み取る手段と、
前記読み取った番組情報の少なくとも番組タイトル名に関連する情報からキーワードを抽出するキーワード抽出手段と、
前記抽出したキーワードに対応する前記音場モードに係る情報を、予め設定したキーワードごとに前記複数の音場モードに係る情報の何れか一つの情報を登録したキーワードデータベースを参照して求めるキーワード照合手段と、
前記キーワード照合手段で求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワードによる音場制御手段と、
前記求めた前記音場制御情報に基づいて、前記音声信号に加工を施すための制御指令を作成する手段と、
作成した前記制御指令の信号を前記オーディオ制御部に出力する手段と、
を備えていることを特徴とする音声再生装置。
【請求項２５】
複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加された番組情報のうち、少なくとも番組タイトル名に関連する情報からキーワードを抽出するキーワード抽出手段と、
前記抽出したキーワードに対応する前記音場モードに係る情報とその音場制御情報を、予め設定したキーワードごとに前記音場モードに係る情報と該音場モードに係る情報に対応して前記音声信号に加工を施すための音場制御情報とを関連付けして登録したデータベースを参照して求めるキーワード照合手段と、
前記求めた前記音場モードに係る情報に対応する前記キーワードに対して予め設定されたジャンル情報が、前記番組情報から読み取ったジャンル情報と一致したときに、前記一致した前記ジャンル情報に対応する前記音場モードに係わる情報の音場制御情報に基づいて前記加工を施すための制御指令を作成し、作成した前記制御指令の信号を前記オーディオ制御部に出力する手段と、
を備えていることを特徴とする音声再生装置。
【請求項２６】
複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加されている番組情報をメモリに読み取る手段と、
前記読み取った番組情報の少なくとも番組タイトル名に関連する情報からキーワードを抽出するキーワード抽出手段と、
前記抽出したキーワードに対応する前記音場モードに係る情報とジャンル情報を、予め設定したキーワードごとに前記複数の音場モードに係る情報の何れか一つの情報と前記番組情報に含まれるジャンル情報の一つを登録したキーワード・ジャンル情報データベースを参照して求めるジャンル情報判定手段と、
前記ジャンル情報判定手段で求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワード・ジャンル情報による音場制御手段と、
前記ジャンル情報判定手段で求めた前記ジャンル情報が、前記番組情報から読み取ったジャンル情報と一致するか否かを判定するジャンル情報有効性判定手段と、
前記一致すると判定された前記ジャンル情報に対応する前記音場モードに係る情報の音場制御情報に基づいて前記音声信号に加工を施すための制御指令を作成する手段と、
作成した制御指令の信号を前記オーディオ制御部に出力する手段と、
を備えていることを特徴とする音声再生装置。
【請求項２７】
前記キーワード照合手段の実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行う手段を備えていることを特徴とする請求項２４又は請求項２５に記載の音声再生装置。
【請求項２８】
前記キーワード照合手段の実行により、前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御手段を備えていることを特徴とする請求項２４又は請求項２５に記載の音声再生装置。
【請求項２９】
前記ジャンル情報判定手段の実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行う手段を備えていることを特徴とする請求項２６に記載の音声再生装置。
【請求項３０】
前記ジャンル情報判定手段の実行により、前記音場モードに係る情報が求められないとき、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御手段を備えていることを特徴とする請求項２６に記載の音声再生装置。
【請求項３１】
前記ジャンル情報有効性判定手段の実行により、前記キーワード・ジャンル情報データベースを参照して求めた前記ジャンル情報が前記番組情報から読み取ったジャンル情報と一致しないと判定されたときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル情報・入力チャンネル数による音場制御手段を備えていることを特徴とする請求項２６に記載の音声再生装置。
【請求項３２】
前記ジャンル情報・入力チャンネル数による音場制御手段の実行により、複数種の前記音場モードに係る情報が求められたときに、
前記複数の音場モードに係る情報から１種を選択するために予め設定した優先順位に関する情報を参照して、前記複数種の前記音場モードに係る情報から１種の音場モードに係る情報を選択する処理を行う手段を備えていることを特徴とする請求項２８、請求項３０、請求項３１のいずれかに記載の音声再生装置。
【請求項３３】
前記キーワード抽出手段は、前記番組タイトル名に関連する情報から前記タイトル名を抽出する手段と、前記タイトル名に含まれる名詞に係る情報を抽出する手段の一方又は双方の手段を備えていることを特徴とする請求項２３から請求項２６のいずれかに記載の音声再生装置。
【発明の詳細な説明】
【技術分野】
【０００１】
本発明は、デジタル放送等のコンテンツを再生するときに、そのＡＶ信号の音声信号を複数の音場モードのなかから放送番組に適した音場モードで音声出力するための音場制御方法とその音場制御プログラム、及び音声再生装置に関するものである。
【背景技術】
【０００２】
デジタル放送を受信するテレビ受信機では、ＡＶ信号（オーディオ・ビジュアル信号；映像信号と音声信号を含む）とそれに付加された付加情報（ジャンル情報、チャンネル情報、番組タイトル名、番組概要など。以下、番組情報という）を受信している。テレビ受信機はこれら番組情報を基に番組内容に適した音場モードに切り替えるなどの制御を行うことができる。例えば特開２００２−３１４４４７号公報（特許文献１）によれば、マイコンが、番組配列信号ＳＩに含まれるジャンル分類コードとサラウンド設定番号とを対応させた対応テーブルを格納し、番組のジャンル分類コードに応じた指令信号ＤＩＲを出力し、音声サラウンド回路が、この指令信号ＤＩＲに応じて、デジタル音声信号の信号処理条件を設定し、視聴番組に適した音場を設定するようになっている。
【０００３】
【特許文献１】特開２００２−３１４４４７号公報
【発明の開示】
【発明が解決しようとする課題】
【０００４】
上記特許文献１に記載された従来技術は、番組のジャンル情報に応じてデジタル音声信号の信号処理条件を設定し、視聴する放送番組に適した音場を設定するようになっているが、番組のジャンル情報のみに応じた音場とした場合、必ずしも番組に最適な音場になるとは限らない。
例えば、同じジャンルに分類されたものであっても、放送番組の番組タイトル名を含む番組情報や音声信号のモードを示す入力チャンネル数を考慮して、音声出力する音場モードを設定すると、より最適な音場を実現できるからである。
従来は、放送番組のジャンル情報が同じであれば同じ音場モードにしているため、このように同じジャンルであっても、放送番組の番組タイトル名を含む番組情報を考慮して最適な音場モードを決定していないという問題があった。
【０００５】
本発明の目的は、上記問題点に鑑み、番組に応じた音場モードを再生する際、放送番組の番組情報に含まれている番組タイトル名等を考慮して番組内容に応じた最適な音場と高品位な音質で音声再生するための音場制御方法とそのプログラム、及び音声再生装置を提供することにある。
【課題を解決するための手段】
【０００６】
本発明の音場制御方法は、複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加された番組情報のうち、少なくとも番組タイトル名に関連する情報からキーワードを抽出し、
前記抽出したキーワードに対応する音場制御情報を、予め設定したキーワードごとに前記音場モードに係る情報と該音場モードに係る情報に対応して前記音声信号に加工を施すための音場制御情報とを関連付けして登録したデータベースを参照して求め、
前記求めた前記音場制御情報に基づいて前記加工を施すための制御指令を作成し、作成した前記制御指令の信号を前記オーディオ制御部に出力することを特徴としている。
また、本発明の音場制御方法は、複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加された番組情報をメモリに読み取り、
前記読み取った番組情報の少なくとも番組タイトル名に関連する情報からキーワードを抽出し、
前記抽出したキーワードに対応する前記音場モードに係る情報を、予め設定したキーワードごとに前記複数の音場モードに係る情報の何れか一つの情報を登録したキーワードデータベースを参照して求め、
前記求めた前記音場モードに係る情報に対応して前記音声信号に加工を施すために設定された音場制御情報を、前記複数の音場モードに係る情報ごとに前記音場制御情報を登録した音場制御情報テーブルを参照して求め、
前記求めた前記音場制御情報に基づいて、前記音声信号に加工を施すための制御指令を作成し、
作成した前記制御指令の信号を前記オーディオ制御部に出力することを特徴としている。
また、本発明の音場制御方法は、複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加された番組情報のうち、少なくとも番組タイトル名に関連する情報からキーワードを抽出し、
前記抽出したキーワードに対応する前記音場モードに係る情報とその音場制御情報を、予め設定したキーワードごとに前記音場モードに係る情報と該音場モードに係る情報に対応して前記音声信号に加工を施すための音場制御情報とを関連付けして登録したデータベースを参照して求め、
前記求めた前記音場モードに係る情報に対応する前記キーワードに対して予め設定されたジャンル情報が、前記番組情報から読み取ったジャンル情報と一致したときに、前記一致した前記ジャンル情報に対応する前記音場モードに係わる情報の音場制御情報に基づいて前記加工を施すための制御指令を作成し、作成した前記制御指令の信号を前記オーディオ制御部に出力することを特徴としている。
また、本発明の音場制御方法は、複数の音場モードで音声信号を音声出力するために前記音声信号に加工を施すことができるオーディオ制御部に、放送番組の音声信号を入力して前記放送番組に適した音場モードに対応する加工を施すための音場制御方法であって、
前記放送番組に付加されている番組情報をメモリに読み取り、
前記読み取った番組情報の少なくとも番組タイトル名に関連する情報からキーワードを抽出し、
前記抽出したキーワードに対応する前記音場モードに係る情報とジャンル情報を、予め設定したキーワードごとに前記複数の音場モードに係る情報の何れか一つの情報と前記番組情報に含まれるジャンル情報の一つを登録したキーワード・ジャンル情報データベースを参照して求め、
前記求めた前記音場モードに係る情報に対応して前記音声信号に加工を施すために設定された音場制御情報を、前記複数の音場モードに係る情報ごとに前記音場制御情報を登録した音場制御情報テーブルを参照して求め、
前記キーワード・ジャンル情報データベースを参照して求めた前記ジャンル情報が、前記番組情報から読み取ったジャンル情報と一致するか否かを判定し、
前記一致すると判定された前記ジャンル情報に対応する前記音場モードに係わる情報の音場制御情報に基づいて前記音声信号に加工を施すための制御指令を作成し、
作成した前記制御指令の信号を前記オーディオ制御部に出力することを特徴としている。
また、本発明の音場制御方法は、前記キーワードデータベースを参照して前記キーワードに対応する前記音場モードに係る情報が複数種求められたときに、
前記複数の音場モードに係る情報から１種を選択するために予め設定した優先順位に関する情報を参照して、前記求められた複数種の前記音場モードに係る情報から１種を選択することを特徴としている。
また、本発明の音場制御方法は、前記キーワードデータベースを参照して前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求め、
前記求めた音場制御情報に基づいて前記音声信号に加工を施すための制御指令を作成することを特徴としている。
また、本発明の音場制御方法は、前記キーワード・ジャンル情報データベースを参照して前記キーワードに対応する前記音場モードに係る情報が複数種求められたときに、
前記複数の音場モードに係る情報から１種を選択するために予め設定した優先順位に関する情報を参照して、前記求められた複数種の前記音場モードに係る情報から１種を選択することを特徴としている。
また、本発明の音場制御方法は、前記キーワード・ジャンル情報データベースを参照して前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求め、
前記求めた音場制御情報に基づいて前記音声信号に加工を施すための制御指令を作成することを特徴としている。
また、本発明の音場制御方法は、前記キーワード・ジャンル情報データベースを参照して求めた前記ジャンル情報が、前記番組情報から読み取ったジャンル情報と一致しないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求め、
前記求めた音場制御情報に基づいて前記音声信号に加工を施すための制御指令を作成することを特徴としている。
また、本発明の音場制御方法は、前記ジャンル情報・入力チャンネル数別音場モードテーブルを参照して複数種の前記音場モードに係る情報が求められたときに、
前記複数の音場モードに係る情報から１種を選択するために予め設定した優先順位に関する情報を参照して、前記複数種の前記音場モードに係る情報から１種の音場モードに係る情報を選択することを特徴としている。
また、本発明の音場制御方法において、前記番組タイトル名に関連する情報からキーワードを抽出する処理は、前記番組タイトル名を抽出する処理と、前記番組タイトル名に含まれる名詞に係る情報を抽出する処理の一方又は双方を備えていることを特徴としている。
【０００７】
また、本発明の音場制御プログラムは、複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加された番組情報のうち、少なくとも番組タイトル名に関連する情報からキーワードを抽出するキーワード抽出ステップと、
前記抽出したキーワードに対応する音場制御情報を、予め設定したキーワードごとに前記音場モードに係る情報と該音場モードに係る情報に対応して前記音声信号に加工を施すための音場制御情報とを関連付けして登録したデータベースを参照して求めるステップと、
前記求めた前記音場制御情報に基づいて前記加工を施すための制御指令を作成し、作成した前記制御指令の信号を前記オーディオ制御部に出力するステップと、
を備えていることを特徴としている。
また、本発明の音場制御プログラムは、複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加されている番組情報をメモリに読み取るステップと、
前記読み取った番組情報の少なくとも番組タイトル名に関連する情報からキーワードを抽出するキーワード抽出ステップと、
前記抽出したキーワードに対応する前記音場モードに係る情報を、予め設定したキーワードごとに前記複数の音場モードに係る情報の何れか一つの情報を登録したキーワードデータベースを参照して求めるキーワード照合ステップと、
前記キーワード照合ステップで求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワードによる音場制御ステップと、
前記求めた前記音場制御情報に基づいて、前記音声信号に加工を施すための制御指令を作成するステップと、
作成した前記制御指令の信号を前記オーディオ制御部に出力するステップと、
を備えていることを特徴としている。
また、本発明の音場制御プログラムは、複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加された番組情報のうち、少なくとも番組タイトル名に関連する情報からキーワードを抽出するキーワード抽出ステップと、
前記抽出したキーワードに対応する前記音場モードに係る情報とその音場制御情報を、予め設定したキーワードごとに前記音場モードに係る情報と該音場モードに係る情報に対応して前記音声信号に加工を施すための音場制御情報とを関連付けして登録したデータベースを参照して求めるキーワード照合ステップと、
前記求めた前記音場モードに係る情報に対応する前記キーワードに対して予め設定されたジャンル情報が、前記番組情報から読み取ったジャンル情報と一致したときに、前記一致した前記ジャンル情報に対応する前記音場モードに係わる情報の音場制御情報に基づいて前記加工を施すための制御指令を作成し、作成した前記制御指令の信号を前記オーディオ制御部に出力するステップと、
を備えていることを特徴としている。
また、本発明の音場制御プログラムは、複数の音場モードで音声信号を音声出力するために前記音声信号に加工を施すことができるオーディオ制御部に、放送番組の音声信号を入力して前記放送番組に適した音場モードに対応する加工を施す処理を行う音場制御プログラムであって、
前記放送番組に付加されている番組情報をメモリに読み取るステップと、
前記読み取った番組情報の少なくとも番組タイトル名に関連する情報からキーワードを抽出するキーワード抽出ステップと、
前記抽出したキーワードに対応する前記音場モードに係る情報とジャンル情報を、予め設定したキーワードごとに前記複数の音場モードに係る情報の何れか一つの情報と前記番組情報に含まれるジャンル情報の一つを登録したキーワード・ジャンル情報データベースを参照して求めるジャンル情報判定ステップと、
前記ジャンル情報判定ステップで求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワード・ジャンル情報による音場制御ステップと、
前記ジャンル情報判定ステップで求めた前記ジャンル情報が、前記番組情報から読み取ったジャンル情報と一致するか否かを判定するジャンル情報有効性判定ステップと、
前記一致すると判定された前記ジャンル情報に対応する前記音場モードに係る情報の音場制御情報に基づいて前記音声信号に加工を施すための制御指令を作成するステップと、
作成した制御指令の信号を前記オーディオ制御部に出力するステップと、
を備えていることを特徴としている。
また、本発明の音場制御プログラムは、前記キーワード照合ステップの実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行うステップを備えていることを特徴としている。
また、本発明の音場制御プログラムは、前記キーワード照合ステップの実行により、前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御ステップを備えていることを特徴としている。
また、本発明の音場制御プログラムは、前記ジャンル情報判定ステップの実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行うステップを備えていることを特徴としている。
また、本発明の音場制御プログラムは、前記ジャンル情報判定ステップの実行により、前記音場モードに係る情報が求められないとき、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御ステップを備えていることを特徴としている。
また、本発明の音場制御プログラムは、前記ジャンル情報有効性判定ステップの実行により、前記キーワード・ジャンル情報データベースを参照して求めた前記ジャンル情報が前記番組情報から読み取ったジャンル情報と一致しないと判定されたときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル情報・入力チャンネル数による音場制御ステップを備えていることを特徴としている。
また、本発明の音場制御プログラムは、前記ジャンル情報・入力チャンネル数による音場制御ステップの実行により、複数種の前記音場モードに係る情報が求められたときに、
前記複数の音場モードに係る情報から１種を選択するために予め設定した優先順位に関する情報を参照して、前記複数種の前記音場モードに係る情報から１種の音場モードに係る情報を選択する処理を行うステップを備えていることを特徴としている。
また、本発明の音場制御プログラムにおいて、前記キーワード抽出ステップは、前記番組タイトル名に関連する情報から前記タイトル名を抽出するステップと、前記タイトル名に含まれる名詞に係る情報を抽出するステップの一方又は双方のステップを備えていることを特徴としている。
【０００８】
また、本発明の音声再生装置は、複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加された番組情報のうち、少なくとも番組タイトル名に関連する情報からキーワードを抽出するキーワード抽出手段と、
前記抽出したキーワードに対応する音場制御情報を、予め設定したキーワードごとに前記音場モードに係る情報と該音場モードに係る情報に対応して前記音声信号に加工を施すための音場制御情報とを関連付けして登録したデータベースを参照して求める手段と、
前記求めた前記音場制御情報に基づいて前記加工を施すための制御指令を作成し、作成した前記制御指令の信号を前記オーディオ制御部に出力する手段と、
を備えていることを特徴としている。
また、本発明の音声再生装置は、複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加されている番組情報をメモリに読み取る手段と、
前記読み取った番組情報の少なくとも番組タイトル名に関連する情報からキーワードを抽出するキーワード抽出手段と、
前記抽出したキーワードに対応する前記音場モードに係る情報を、予め設定したキーワードごとに前記複数の音場モードに係る情報の何れか一つの情報を登録したキーワードデータベースを参照して求めるキーワード照合手段と、
前記キーワード照合手段で求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワードによる音場制御手段と、
前記求めた前記音場制御情報に基づいて、前記音声信号に加工を施すための制御指令を作成する手段と、
作成した前記制御指令の信号を前記オーディオ制御部に出力する手段と、
を備えていることを特徴としている。
また、本発明の音声再生装置は、複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加された番組情報のうち、少なくとも番組タイトル名に関連する情報からキーワードを抽出するキーワード抽出手段と、
前記抽出したキーワードに対応する前記音場モードに係る情報とその音場制御情報を、予め設定したキーワードごとに前記音場モードに係る情報と該音場モードに係る情報に対応して前記音声信号に加工を施すための音場制御情報とを関連付けして登録したデータベースを参照して求めるキーワード照合手段と、
前記求めた前記音場モードに係る情報に対応する前記キーワードに対して予め設定されたジャンル情報が、前記番組情報から読み取ったジャンル情報と一致したときに、前記一致した前記ジャンル情報に対応する前記音場モードに係わる情報の音場制御情報に基づいて前記加工を施すための制御指令を作成し、作成した前記制御指令の信号を前記オーディオ制御部に出力する手段と、
を備えていることを特徴としている。
また、本発明の音声再生装置は、複数の音場モードで音声信号を音声出力するために前記音声信号に加工を施すことができるオーディオ制御部に、放送番組の音声信号を入力して前記放送番組に適した音場モードに対応する加工を施して音声出力する音声再生装置であって、
前記放送番組に付加されている番組情報をメモリに読み取る手段と、
前記読み取った番組情報の少なくとも番組タイトル名に関連する情報からキーワードを抽出するキーワード抽出手段と、
前記抽出したキーワードに対応する前記音場モードに係る情報とジャンル情報を、予め設定したキーワードごとに前記複数の音場モードに係る情報の何れか一つの情報と前記番組情報に含まれるジャンル情報の一つを登録したキーワード・ジャンル情報データベースを参照して求めるジャンル情報判定手段と、
前記ジャンル情報判定手段で求めた前記音場モードに係る情報に対応して前記音声信号に加工を施すために設定された音場制御情報を、前記複数の音場モードに係る情報ごとに前記音場制御情報を登録した音場制御情報テーブルを参照して求めるキーワード・ジャンル情報による音場制御手段と、
前記ジャンル情報判定手段で求めた前記ジャンル情報が、前記番組情報から読み取ったジャンル情報と一致するか否かを判定するジャンル情報有効性判定手段と、
前記一致すると判定された前記ジャンル情報に対応する前記音場モードに係る情報の音場制御情報に基づいて前記音声信号に加工を施すための制御指令を作成する手段と、
作成した制御指令の信号を前記オーディオ制御部に出力する手段と、
を備えていることを特徴としている。
また、本発明の音声再生装置は、前記キーワード照合手段の実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行う手段を備えていることを特徴としている。
また、本発明の音声再生装置は、前記キーワード照合手段の実行により、前記キーワードに対応する前記音場モードに係る情報が求められないときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御手段を備えていることを特徴としている。
また、本発明の音声再生装置は、前記ジャンル情報判定手段の実行により、複数種の前記音場モードに係る情報が求められたとき、
前記複数の音場モードに係る情報から１種を選択するために予め設定した優先順位に関する情報を参照して、前記求められた複数種の前記音場モードに係る情報から１種を選択する処理を行う手段を備えていることを特徴としている。
また、本発明の音声再生装置は、前記ジャンル情報判定手段の実行により、前記音場モードに係る情報が求められないとき、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル・入力チャンネル数による音場制御手段を備えていることを特徴としている。
また、本発明の音声再生装置は、前記ジャンル情報有効性判定手段の実行により、前記キーワード・ジャンル情報データベースを参照して求めた前記ジャンル情報が前記番組情報から読み取ったジャンル情報と一致しないと判定されたときに、
前記番組情報から読み取ったジャンル情報と入力チャンネル数の双方に一致する前記音場モードに係る情報とその音場制御情報を、前記番組情報として含まれるジャンル情報と入力チャンネル数とに関連付けして前記複数の音場モードの何れか一つの音場モードに係る情報とその音場制御情報を登録したジャンル情報・入力チャンネル数別音場モードテーブルを参照して求める処理を行うジャンル情報・入力チャンネル数による音場制御手段を備えていることを特徴としている。
また、本発明の音声再生装置は、前記ジャンル情報・入力チャンネル数による音場制御手段の実行により、複数種の前記音場モードに係る情報が求められたときに、
前記複数の音場モードに係る情報から１種を選択するために予め設定した優先順位に関する情報を参照して、前記複数種の前記音場モードに係る情報から１種の音場モードに係る情報を選択する処理を行う手段を備えていることを特徴としている。
また、本発明の音声再生装置において、前記キーワード抽出手段は、前記番組タイトル名に関連する情報から前記タイトル名を抽出する手段と、前記タイトル名に含まれる名詞に係る情報を抽出する手段の一方又は双方の手段を備えていることを特徴としている。
【０００９】
なお、上記した番組情報とは、デジタル放送等の映像信号、音声信号に付加されている付加情報であって、具体的には、放送番組のジャンルを示すジャンル情報、チャンネル情報、番組タイトル名、番組概要などを示す。また、入力チャンネル数とは、上記チャンネル情報のことであって音声信号のモード（音声モード）を表すための情報である。例えば、１チャンネル（ｃｈ）、２ｃｈ、５．１ｃｈ等を表す情報を示す。また、上記音声再生装置とは、音声信号を再生して出力するための音声再生専用の音声再生装置（オーディオ機器）と、映像表示及び音声出力機能を備えているテレビ受信機等を含む。
【発明の効果】
【００１０】
本発明によれば、放送番組のＡＶ信号に付加されている番組情報のうち、少なくとも番組タイトル名等から抽出したキーワードに基づいて、予め設定された複数の音場モードから最適な音場モードを自動的に決定すると共に、音声信号に対してこの決定した音場モードに対応した加工を施すようにしている。これにより、番組内容に応じた最適な音場と高品位な音質で音声再生することができる効果を奏する。
【発明を実施するための最良の形態】
【００１１】
次に、本発明を実施するための最良の形態を、図面を参照して具体的に説明する。図１乃至図３は、本発明を実施するための基本的な構成例を示す。
【００１２】
図１乃至図３は、本発明をテレビ受信機１、オーディオ機器（音声再生装置、音声再生手段）２、レコーダ３〜５などを、ＨＤＭＩ（High Definition Multimedia Interface）端子１０〜１７を備えたＨＤＭＩケーブル６〜９、及び光ケーブル１８で接続して、ＡＶ信号や番組情報信号の授受を行い、映像や音声の再生を行う第１〜第３の実施の形態を示している。
【００１３】
図１はテレビ受信機１と音声再生装置となるオーディオ機器２をＨＤＭＩケーブル６と光ケーブル１８で接続した第１の実施の形態を示す。図２はテレビ受信機１と２台の映像音声再生装置となる映像音声再生装置レコーダ３、４をＨＤＭＩケーブル７及びＨＤＭＩケーブル８で接続した第２の実施の形態を示し、図３はテレビ受信機１とオーディオ機器２をＨＤＭＩケーブル６と光ケーブル１８で接続し、さらにオーディオ機器２とレコーダ５をＨＤＭＩケーブル９で接続した第３の実施の形態を示している。
【００１４】
テレビ受信機１は映像音声再生装置、あるいは受信手段であり、放送番組を直接受信して再生することができると共に、ＨＤＭＩケーブル６〜９を介して外部機器から入力されたＡＶ信号を基に番組を再生することができる。また、オーディオ機器２は音声再生装置、音声再生手段であり、ＨＤＭＩケーブル６〜９、光ケーブル１８を介して入力された音声信号を基に音声を再生することができる。またレコーダ３〜５は番組記録再生装置、映像音声再生装置、あるいは受信手段であり、放送番組のＡＶ信号を直接受信して記録、再生することができると共に、再生されたＡＶ信号をＨＤＭＩケーブル６〜９を介して外部に出力することができる。図示はしていないがレコーダ３〜５は外部からＡＶ信号を入力して記録、再生することもできる。
【００１５】
ＨＤＭＩ端子１０〜１７は、ディスプレイ接続技術のＤＶＩ（Digital Visual Interface）端子をＡＶ（オーディオ・ビジュアル）関連機器向けにアレンジして開発されたもので、次世代テレビ向けのインターフェース規格に基づいた接続端子である。ＨＤＭＩ端子では１本のケーブルで映像信号、音声信号、制御信号を合わせて送ることができ、制御信号は双方向にも伝送させることができるため、機器間をシンプルに接続でき、１台のリモコンで複数のＡＶ機器（オーディオ・ビジュアル機器）を制御することができるようになる。
【００１６】
図１乃至図３におけるＨＤＭＩケーブル６〜９部分の詳細な接続関係を図４に示す。
【００１７】
図４において、２１は映像データと音声データの送り側であるＨＤＭＩソース、２２は映像データと音声データの受け側のＨＤＭＩシンクを示している。例えば図２で言えばレコーダ３とレコーダ４がＨＤＭＩソース２１に相当し、テレビ受信機１がＨＤＭＩシンク２２に相当している。ＨＤＭＩソース２１にはＨＤＭＩ送信機２３が備わり、ＨＤＭＩシンク２２にはＨＤＭＩ受信機２４が備わっている。２５は両端にＨＤＭＩ端子２６、２７を備えたＨＤＭＩケーブルである。
【００１８】
ＨＤＭＩ送信機２３に入力された映像信号、音声信号、及び制御状態信号がＴＭＤＳチャンネル２８（ＴＭＤＳチャンネル０〜２とＴＭＤＳクロックチャンネル）を通してＨＤＭＩシンク２２にシリアル伝送される。ＨＤＭＩシンク２２ではＴＭＤＳクロックチャンネルを通して送られたクロック信号を基に、ＴＭＤＳチャンネル２８を通して送られた映像信号、音声信号、制御状態信号を再生する。なお、音声信号と制御状態信号は映像信号のブランキング期間を利用して伝送される。
【００１９】
また、ＨＤＭＩケーブル２５にはＣＥＣ（Consumer Electronics Control）ライン２９とＤＤＣ（Display Data Channel）ライン３０も配置されている。ＣＥＣライン２９とＤＤＣライン３０は双方向ラインであり、これらの信号ラインを通じ機器間で制御信号のやり取りが行われる。
【００２０】
例えば、後述するように、テレビ受信機１やオーディオ機器２の音場モードを切り替えるため、テレビ受信機１、オーディオ機器２、及びレコーダ３〜５の間で、放送番組の番組タイトル名、ジャンル情報、入力チャンネル数等に応じた情報がＣＥＣライン２９を通してやり取りされる。
【００２１】
上記したジャンル情報とは、放送番組を分類するための情報であって、例えば、「映画」、「ドラマ」、「音楽」、「ドキュメンタリ」、「ニュース」、「スポーツ」、「アニメ」等を表す情報をコード化したものである。また、入力チャンネル数とは、放送番組等のコンテンツの音声信号についてその音声モードの種類を表す情報であって、例えば５．２チャンネル（ｃｈ）、２ｃｈ、１ｃｈ等を示す情報である。これらジャンル情報と入力チャンネル数に関する情報は、ＡＶ信号の番組情報として含まれているＳＩ（Service Information：番組配列情報）から抽出して取得することができる。
【００２２】
また、テレビ受信機１やレコーダ３〜５は、自己に直接的又は間接的に外部接続された機器の映像表示仕様や音声出力仕様などを、ＥＤＩＤ（Extended Display Identification）−ＲＯＭ３１からＤＤＣライン３０を通して読み取り、接続されている機器の仕様にあった映像信号と音声信号を送信するようになっている。
【００２３】
（ハードウェア構成）
図５は、図３に示す第３の実施の形態を、概略の制御ブロック図で示したものである。図５において、４１〜４３はホストＣＰＵである。また、４４はモニターマイコン、４５、４６はフロントマイコンである。４７〜４９はインターフェース回路である。また、５０、５１はＨＤＭＩ受信用ＬＳＩである。また、５２、５３はＨＤＭＩ送信用ＬＳＩである。インターフェース４７、４８、４９間はＣＥＣラインで接続されている。ＨＤＭＩ受信用ＬＳＩ５０、５１はＨＤＭＩ受信機２４をＬＳＩ化したもの、ＨＤＭＩ送信用ＬＳＩ５２、５３はＨＤＭＩ送信機２３をＬＳＩ化したものである。
【００２４】
ＨＤＭＩ送信用ＬＳＩ５３には送信先としてＨＤＭＩ受信用ＬＳＩ５０が接続されている。またＨＤＭＩ送信用ＬＳＩ５２には送信先としてＨＤＭＩ受信用ＬＳＩ５１が接続されている。またＨＤＭＩ送信用ＬＳＩ５３は、ＨＤＭＩ受信用ＬＳＩ５１がＨＤＭＩ送信用ＬＳＩ５２から受信したデータを受け取ることができるように、ＨＤＭＩ受信用ＬＳＩ５１に接続されている。
【００２５】
ホストＣＰＵ４１〜４３は、記憶手段となるメモリ（図６に示すメモリ１１８）を備えている。このメモリとしては、例えばＲＯＭ（Read Only Memory）、ＲＡＭ(Random Access Memory)を備え、各ＲＯＭにはそれぞれテレビ受信機１、オーディオ機器２、レコーダ５（３、４）の動作を制御するための各種のプログラムが記憶されている。また、テレビ受信機１とオーディオ機器２のＲＯＭには後述するデータベースとデータテーブルが記憶されている。そして、これらプログラムの制御により、ホストＣＰＵ４１〜４３は、モニターマイコン４４、フロントマイコン４５、４６、インターフェース回路４７〜４９、ＣＥＣラインを介して相互に通信することができる。さらに、ホストＣＰＵ４１〜４３は、ＨＤＭＩ送信用ＬＳＩ５２、５３を制御し、ＴＭＤＳチャンネルを介して映像信号、音声信号、制御状態信号を送信することができる。さらに、ホストＣＰＵ４１、４２は、ＨＤＭＩ受信用ＬＳＩ５０、５１を制御し、ＴＭＤＳチャンネルを介して映像信号、音声信号、制御状態信号を受信することができる。
【００２６】
ＨＤＭＩケーブル６は、映像信号、音声信号、制御状態信号の伝送方向が一方向のみ可能なので、テレビ受信機１が放送局から受信した番組の音声をオーディオ機器２のスピーカで再生する場合には、テレビ受信機１からオーディオ機器２へ音声データを送る光ケーブル１８が設けられる。５４、５５は光ケーブル用インターフェースである。
【００２７】
例えば、ユーザによって操作されるリモコン（図示なし）からの指令により、テレビ受信機１がレコーダ５の映像信号、音声信号を受信して映像表示及び音声出力する場合には、テレビ受信機１のホストＣＰＵ４１はプログラム制御により、レコーダ５のホストＣＰＵ４３に対して映像信号と音声信号を送信するよう制御信号を送る。
【００２８】
この制御信号はモニターマイコン４４、インターフェース回路４７、ＣＥＣライン、インターフェース回路４９、フロントマイコン４６を介してホストＣＰＵ４３に伝達される。ホストＣＰＵ４１からの制御信号を受け取ったホストＣＰＵ４３は、ＨＤＭＩ送信用ＬＳＩ５２を制御してテレビ受信機１に向けて映像信号と音声信号を送信する。ＨＤＭＩ送信用ＬＳＩ５２から送信された映像信号と音声信号は一旦オーディオ機器２のＨＤＭＩ受信用ＬＳＩ５１で受信される。このときホストＣＰＵ４２は受信された信号が自己向けでないと判断し、再びＨＤＭＩ送信用ＬＳＩ５３からテレビ受信機１に向けて映像信号と音声信号を送信する。ＨＤＭＩ送信用ＬＳＩ５３から送信された映像信号と音声信号はテレビ受信機１のＨＤＭＩ受信用ＬＳＩ５０で受信され、自己向けに送信された信号と判断したら受信したデータを取り込む。
【００２９】
テレビ受信機１はこのようにしてレコーダ５からの映像信号と音声信号を基に映像表示、音声出力を行うことができる。また、レコーダ５で抽出された番組タイトル名、ジャンル情報、入力チャンネル数等（コンテンツに関する番組情報）をレコーダ５のホストＣＰＵ４３からテレビ受信機１のホストＣＰＵ４１に、フロントマイコン４６、インターフェース回路４９、ＣＥＣライン、インターフェース回路４７、モニターマイコン４４を介して送信する。テレビ受信機１は、上記により受信したジャンル情報や入力チャンネル数（コンテンツに関する番組情報）に応じてスピーカ出力モード（音場モード）を番組に適した構成に切り替える制御を行う。
【００３０】
また、他の例として、例えば、ユーザによって操作されるリモコン（図示なし）からの指令により、レコーダ５の映像信号を基にテレビ受信機１で映像表示し、レコーダ５の音声信号を基にオーディオ機器２で音声出力する場合には、ホストＣＰＵ４１はレコーダ５のホストＣＰＵ４３に対して、映像信号をテレビ受信機１に送信し、音声信号をオーディオ機器２に送信するよう制御信号を送る。
【００３１】
この制御信号はモニターマイコン４４、インターフェース回路４７、ＣＥＣライン、インターフェース回路４９、フロントマイコン４６を介してホストＣＰＵ４３に伝達される。ホストＣＰＵ４１からの制御信号を受け取ったホストＣＰＵ４３は、ＨＤＭＩ送信用ＬＳＩ５２を制御してテレビ受信機１に向けて映像信号を送信し、オーディオ機器２に向けて音声信号を送信する。ＨＤＭＩ送信用ＬＳＩ５２から送信された映像信号と音声信号は一旦オーディオ機器２のＨＤＭＩ受信用ＬＳＩ５１で受信される。このときホストＣＰＵ４２は受信された信号のうち、映像信号は自己向けでないと判断し、この映像信号を再びＨＤＭＩ送信用ＬＳＩ５３からテレビ受信機１のＨＤＭＩ受信用ＬＳＩ５０に向けて映像信号を送信する。ＨＤＭＩ送信用ＬＳＩ５３から送信された映像信号はテレビ受信機１のＨＤＭＩ受信用ＬＳＩ５０で受信される。このときホストＣＰＵ４１は自己向けに送信された映像信号と判断し、受信したデータを取り込む。このようにしてテレビ受信機１は自己の映像表示部に映像を表示する。
【００３２】
一方、オーディオ機器２のホストＣＰＵ４２は、受信した音声信号は自己向けであると判断するので自己向け音声データとして取り込む。そして、オーディオ機器２は取り込んだ音声データを基に自己のスピーカから音声を出力する制御を行う。また、レコーダ５で抽出されたレコーダ５で抽出された番組タイトル名、ジャンル情報、入力チャンネル数等（コンテンツに関する番組情報）をレコーダ５のホストＣＰＵ４３からオーディオ機器２のホストＣＰＵ４２に、フロントマイコン４６、インターフェース回路４９、ＣＥＣライン、インターフェース回路４８、フロントマイコン４５を介して送信する。オーディオ機器２は、上記番組情報に応じてスピーカ出力モードを番組に適した構成に制御する。
【００３３】
このようにレコーダ５の映像信号、音声信号を基に、テレビ受信機１で映像表示し、オーディオ機器２で音声を出力することができる。また、ホストＣＰＵ４３はＨＤＭＩケーブル９のＣＥＣラインを介してコンテンツに関する番組情報を送る。これらの情報を受信して、オーディオ機器２はスピーカ出力モードを番組に適した構成に切り替える制御を行う。
【００３４】
また、さらに他の例として、例えば、テレビ受信機１のホストＣＰＵ４１が、ユーザによって操作されるリモコン（図示なし）からの指令により、テレビ受信機１が放送局からの放送番組を受信して映像をテレビ受信機１で表示し、音声をオーディオ機器２から出力する場合には、テレビ受信機１の通常の処理でテレビ受信機１の表示部に映像を表示し、音声はテレビ受信機に備わるスピーカからの出力を停止し、代わりに光ケーブル１８を通して音声データをオーディオ機器２へ送る。
【００３５】
このとき、テレビ受信機１のホストＣＰＵ４１は、テレビ受信機１の動作を統括して制御するテレビ受信機１のホストＣＰＵ４１からオーディオ機器２のホストＣＰＵ４２に、モニターマイコン４４、インターフェース回路４７、ＣＥＣライン、インターフェース回路４８、フロントマイコン４５を介して送信する。オーディ機器２は、上記番組情報に応じてスピーカ出力モードを番組に適した構成に制御する。
【００３６】
これにより、テレビ受信機１が受信した放送番組の映像をテレビ受信機１の表示機により表示し、放送番組の番組情報に対応した音場モードでオーディオ機器２のスピーカから音声を出力することができるようになる。
【００３７】
このように、ＨＤＭＩケーブルと光ケーブルにより相互接続されたテレビ受信機１、オーディオ機器２、レコーダ５は、リモコンでテレビ受信機１に操作信号を送ることにより種々の再生モードを実現できるようになる。上記再生モードの例の他にも種々の再生モードが考えられる。この場合、種々の再生モードを実現するに当たり音声データを双方向に送受信することが必要な箇所には光ケーブルが追加的に備えられる。
【００３８】
図６は、図３に示した第３の実施の形態における、テレビ受信機１、オーディオ機器２、レコーダ５の制御構成を更に詳細に示した図である。
【００３９】
図６を参照すると、本実施の形態のテレビジョン受信装置（テレビ受信機）１は、アンテナ１０４と、チューナ１０５と、多重化復元部１０６と、映像復号部１０７と、音声復号部１２０と、コンテンツ情報復号部１１１と、表示部１０９と、オーディオ制御部１２１と、システムコントローラ１１５と、左右のフロントスピーカ１２９、１３０と、センタスピーカ１３１と、サブウーファ１３２と、リモコン受光部１１６と、リモコン１１７と、アンプ１２５〜１２８と、ボリューム１２４と、メモリ１１８と、操作部１１９と、セレクタ１０８、１１２と、ＨＤＭＩ受信ＬＳＩ１１０と、デジタルオーディオインターフェース変調部１１３と、発光素子１１４と、双方向インターフェース回路１３３と、ＥＤＩＤ−ＲＯＭ１３４を具備している。
【００４０】
なお、テレビ受信機１のシステムコントローラ１１５は、ホストＣＰＵ４１がメモリ１１８のＲＯＭに記憶している各種のプログラムを作動させて、本発明を実施するためにテレビ受信機１の動作を制御するための手段となる。
【００４１】
テレビ受信機１に搭載されている各種のプログラムの一例を図１３に示す。図１３に示すようにテレビ受信機１に搭載されているプログラムは、メイン制御プログラムＭ１、入出力制御プログラムＰ１、通信制御プログラムＰ２、キーワード抽出プログラムＰ３（キーワード抽出手段）、キーワード照合プログラムＰ４（キーワード照合手段）、ジャンル情報判定プログラムＰ５（ジャンル情報判定手段）、ジャンル情報有効性判定プログラムＰ６（ジャンル情報有効性判定手段）、優先順位による音場モード選択プログラムＰ７、キーワードによる音場制御プログラムＰ８（キーワードによる音場制御手段）、キーワード・ジャンル情報による音場制御プログラムＰ９（キーワード・ジャンル情報による音場制御手段）、ジャンル・入力チャンネル数による音場制御プログラムＰ１０（ジャンル・入力チャンネル数による音場制御手段）、音場切り替え指令プログラムＰ１１、リモコン指令処理プログラムＰ１２、等を備えている。なお、上記メイン制御プログラムＭ１は、テレビ受信機１の動作を統括して制御するためのプログラムである。
【００４２】
また、テレビ受信機１のメモリ１１８（ＲＯＭ）には、上記プログラムが音場制御の処理を行うときに参照するデータベース及びデータテーブルが記憶されている。これらデータベース及びデータテーブルの構成については後記する。
【００４３】
チューナ１０５は、アンテナ１０４によって受信された放送信号から所望の周波数のチャンネルを選局し、復調処理を行う。なお、アンテナ１０４によって受信される放送信号は、地上デジタル放送、ＢＳデジタル放送、１１０度ＣＳデジタル放送等であり、チューナ１０５によって復調される信号は、コンテンツの映像信号と音声信号および当該コンテンツに関する番組情報が時分割複合化された多重化信号として多重化復元部１０６に出力される。また、コンテンツとは、放送局からの放送信号によって供給される放送番組に限らず、インターネット等のネットワークを介して得られる番組を含むものとし、この場合には、ネットワークからコンテンツの映像信号と音声信号および当該コンテンツに関する番組情報が時分割複合化された多化信号が多重化復元部１０６に出力される。
【００４４】
多重化復元部１０６は、チューナ１０５（もしくはネットワーク、記録媒体の再生装置）から入力された多重化信号を基に、視聴したい番組の映像信号、音声信号、番組情報を分離する。分離した映像信号は映像復号部１０７に出力され、分離した音声信号は音声復号部１２０に出力され、分離した番組情報はコンテンツ情報復号部１１１に出力される。なお、番組情報は、入力信号に多重されている番組のジャンル情報に係わる情報を表すジャンルコードや、ＥＰＧ（Electronic Programming Guide）等の情報である。このコンテンツのジャンルコードとしては、前記したように、例えば「映画」、「ドラマ」、「音楽」、「ドキュメンタリ」、「ニュース」等を表すコードが含まれているものとする。
【００４５】
映像復号部１０７は、多重化復元部１０６から入力された映像信号を復号化し、復号化された映像信号はセレクタ１０８を介して表示部１０９に出力され映像表示される。表示部１０９としては、液晶ディスプレイ、プラズマディスプレイ、ＣＲＴ等の表示手段が用いられる。
【００４６】
音声復号部１２０は、セレクタ１１２を介して多重化復元部１０６から入力された音声信号を復号化し、復号化された音声信号はオーディオ制御部１２１によって加工処理が施された後、ボリューム１２４を介してアンプ１２５〜１２８で増幅され、出力チャンネルが３．１ｃｈの左右のフロントスピーカ１２９、１３０と、センタスピーカ１３１と、サブウーファ１３２とから音声出力される。
【００４７】
コンテンツ情報復号部１１１は、多重化復元部１０６から入力された番組情報を復号化すると共に、復号化された番組情報から番組タイトル名、ジャンル情報、入力チャンネル数等を抽出し、抽出した番組タイトル名、ジャンル情報、入力チャンネル数等は、入出力制御プログラムＰ１によりシステムコントローラ１１５に出力される。なお、同一のコンテンツに複数のジャンルが設定されている場合、すなわち番組情報として同一のコンテンツに複数のジャンルが含まれている場合には、抽出した複数のジャンルコードがシステムコントローラ１１５に出力される。
【００４８】
オーディオ制御部１２１は、音声復号部１２０によって復号化された音声信号に加工を施して音質の調整を行う音声加工処理手段であり、電子回路から構成されるチャンネル数変換処理部１９１と、音場変更処理部１９２と、強調処理部１９３と、イコライザ処理部１９４とを備えている。
【００４９】
チャンネル数変換処理部１９１は、音声復号部１２０によって復号化された音声信号の入力チャンネル数を変換する機能を有している。このチャンネル数変換処理として、例えば、５．１ｃｈの音声信号を３．１ｃｈ又は１ｃｈに、２ｃｈの音声信号を１ｃｈに、３．１ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を３．１ｃｈ又は５．１ｃｈに変換するマトリクスデコード処理、１ｃｈの音声信号を２ｃｈに変換するステレオ変換処理を行う。そして、チャンネル数変換処理部１９１により変換された出力チャンネルの各チャンネルに対応するスピーカ１２９〜１３２から音声が再生されることになる。
【００５０】
音場変更処理部１９２は、音場、すなわちリスニング環境を変更する機能を有し、例えば、後方にスピーカが存在しないにもかかわらず、あたかも後方に音源があるかのように感じるバーチャルサラウンド処理、仮想的なスピーカ位置をスピーカの外側に移動させるスピーカ位置変更処理などを行う。
【００５１】
チャンネル数変換処理部１９１と音場変更処理部１９２は、バーチャルサラウンドやプロロジック２（登録商標）、入力された音声信号に従って忠実に音声の再生を実現する音場（ピュア再生）、等を実現する処理を行う。
【００５２】
強調処理部１９３は、センタスピーカ１３１からの音声出力を他のスピーカからの音声出力よりも強調する機能を有し、例えば、センタスピーカ１３１から出力される音声信号のみを増幅するセンタ強調処理、センタスピーカ１３１から出力される音声信号を増幅すると共に、他のスピーカから出力される音声信号を減幅するバランス調整処理が行われる。
【００５３】
イコライザ処理部１９４は、周波数帯域毎に、ゲインを増減して音質をコントロールする機能を有し、フロントスピーカ１２９、１３０の指向性による周波数特性を補正する指向性補正処理を行うと共に、低音を増幅する低音増強処理を行う。
【００５４】
ボリューム１２４はシステムコントローラ１１５の指示にしたがって各スピーカの音圧（音量）を制御する。
【００５５】
リモコン受光部１１６は、リモコン１１７からの操作信号（赤外線）を受信し、受信した操作信号を電気信号に変換してシステムコントローラ１１５に出力する。
【００５６】
メモリ１１８は、前記したようにＲＯＭ、ＲＡＭ等から構成される。このうち、ＲＯＭには、前記したようにテレビ受信機１の動作を制御するためのプログラムと、キーワード別音場モードＤＢ、キーワード別ジャンル情報ＤＢ、音場モード選択優先順位テーブル、音場モードテーブル等が記憶されている。
【００５７】
ＨＤＭＩ受信用ＬＳＩ１１０は、ＨＤＭＩケーブル６を介してオーディオ機器２から受信した信号から映像信号と音声信号を分離再生し、映像信号をセレクタ１０８へ出力し、音声信号をセレクタ１１２へ出力する。
【００５８】
セレクタ１０８は、システムコントローラ１１５による入出力制御プログラムＰ１からの指示により映像復号部１０７からの映像信号、又はＨＤＭＩ受信用ＬＳＩ１１０からの映像信号のいずれか一方を選択して表示部１０９へ出力する。またセレクタ１１２は、同様にシステムコントローラ１１５からの指示により多重化復元部１０６からの音声信号、又はＨＤＭＩ受信用ＬＳＩ１１０からの音声信号のいずれか一方を選択して音声復号部１２０とデジタルオーディオインターフェース変調部１１３へ出力する。
【００５９】
デジタルオーディオインターフェース変調部１１３は、セレクタ１１２から入力した音声信号を光ケーブル伝送用信号に変調して発光素子１１４に出力する。発光素子１１４はデジタルオーディオインターフェース変調部１１３からの信号に応じて発光し、この光は光ケーブル１８によりオーディオ機器２に向けて伝送される。
【００６０】
また、双方向インターフェース回路１３３がシステムコントローラ１１５とＨＤＭＩケーブル６のＣＥＣラインとの間に備わり、送受信される信号の双方向バッファ回路を構成する。
【００６１】
ＥＤＩＤ−ＲＯＭ１３４には、テレビ受信機１の映像表示仕様や音声出力仕様が記憶されており、ＨＤＭＩケーブル６、９のＤＤＣラインを介してオーディオ機器２やレコーダ５にこれらの映像表示仕様又は音声出力仕様情報を伝達する。図示はしていないが、ＨＤＭＩ端子１０、１１等にはホットプラグ検出端子が備わっているので、ＨＤＭＩ端子が接続されたときにホットプラグ検出機能を使用してこれらの映像表示仕様又は音声出力仕様情報がオーディオ機器２あるいはレコーダ５に伝達される。
【００６２】
本実施の形態のオーディオ機器２は、システムコントローラ１５６と、セレクタ１４２と、音声復調部１４３と、オーディオ制御部１４４と、ボリューム１４７と、アンプ１４８〜１５１と、左右のフロントスピーカ１５２、１５３と、センタスピーカ１５４と、サブウーファ１５５と、ＨＤＭＩ受信用ＬＳＩ１５０と、ＨＤＭＩ送信用ＬＳＩ１６０と、受光素子１４０と、デジタルオーディオインターフェース復調部１４１と、双方向インターフェース回路１５７と、ＥＤＩＤ−ＲＯＭ１５８を具備している。また、オーディオ機器２は、図６には示していないが、テレビ受信機１が備えているメモリ１１８と同様のＲＯＭとＲＡＭ等から構成されるメモリを備えている。
【００６３】
なお、図６には示していないが、オーディオ機器２のシステムコントローラ１５６は、テレビ受信機１が備えているメモリ１１８と同様なＲＯＭ、ＲＡＭ等からなるメモリを備えている。このＲＯＭには、ホストＣＰＵ４２がオーディオ機器２の動作を制御する各種のプログラムと、これらプログラムが音場制御の処理を行うときに参照するデータベース及びデータテーブルが記憶されている。これらプログラム、データベース及びデータテーブは、前記したテレビ受信機１のＲＯＭに記憶されているものとほぼ同様な処理機能、及びデータ構成を備えている。
【００６４】
システムコントローラ１５６のＲＯＭに記憶されているプログラムの構成例を図１４に示す。図１４に示すように、これらプログラムは、メイン制御プログラムＭ２、入出力制御プログラムＰ２１、通信制御プログラムＰ２２、キーワード抽出プログラムＰ２３（キーワード抽出手段）、キーワード照合プログラムＰ２４（キーワード照合手段）、ジャンル情報判定プログラムＰ２５（ジャンル情報判定手段）、ジャンル情報有効性判定プログラムＰ２６（ジャンル情報有効性判定手段）、優先順位による音場モード選択プログラムＰ２７、キーワードによる音場制御プログラムＰ２８（キーワードによる音場制御手段）、キーワード・ジャンル情報による音場制御プログラムＰ２９（キーワード・ジャンル情報による音場制御手段）、ジャンル・入力チャンネル数による音場制御プログラムＰ３０（ジャンル・入力チャンネル数による音場制御手段）、音場切り替え指令プログラムＰ３１、等を備えている。なお、上記メイン制御プログラムＭ２は、テレビ受信機１の動作を統括して制御するためのプログラムである。
【００６５】
光ケーブル１８を介して発光素子１１４からの音声信号がオーディオ機器２の受光素子１４０に入力されると、受光素子１４０は光信号を電気信号に変換して、デジタルオーディオインターフェース復調部１４１に出力する。デジタルオーディオインターフェース復調部１４１は光伝送用に変調された信号を復調し、該復調された信号はセレクタ１４２を介して音声復調部１４３に入力されて音声信号として復調される。復調された音声信号はオーディオ制御部１４４に入力される。
【００６６】
オーディオ制御部１４４に入力された音声信号は、オーディオ制御部１４４によって加工を施された後、ボリューム１４７を介してアンプ１４８〜１５１で増幅され、左右のフロントスピーカ１５２、１５３と、センタスピーカ１５４と、サブウーファ１５５とから音声出力される。ボリューム１４７はシステムコントローラ１５６の指示に従って各スピーカの音圧を制御する。
【００６７】
オーディオ制御部１４４は、システムコントローラ１５６の制御により、音声復調部１４３によって復調された音声信号に加工を施して音質を調整する音声加工処理手段であり、チャンネル数変換処理部１８１と、音場変更処理部１８２と、強調処理部１８３と、イコライザ処理部１８４とからなる。
【００６８】
チャンネル数変換処理部１８１は、音声復調部１４３によって復調された音声信号のチャンネル数を変換する機能を有し、チャンネル数変換処理として、例えば、５．１ｃｈの音声信号を３．１ｃｈ又は１ｃｈに、２ｃｈの音声信号を１ｃｈに、３．１ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を３．１ｃｈ又は５．１ｃｈに変換するマトリクスデコード処理、１ｃｈの音声信号を２ｃｈに変換するステレオ変換処理を行う。そして、チャンネル数変換処理部１８１により変換された出力チャンネル数に対応するスピーカ１５２〜１５５から音声が再生されることになる。
【００６９】
音場変更処理部１８２は、前記した音場変更処理部１９２と同様に音場、すなわちリスニング環境を変更する機能を有し、例えば、後方にスピーカが存在しないにもかかわらず、あたかも後方に音源があるかのように感じるバーチャルサラウンド処理、仮想的なスピーカ位置をスピーカの外側に移動させるスピーカ位置変更処理などを行う。
【００７０】
強調処理部１８３による処理は、前記した強調処理部１９３と同様に、センタスピーカ１３１からの音声出力を他のスピーカからの音声出力よりも強調する機能を有し、例えば、センタスピーカ１３１から出力される音声信号のみを増幅するセンタ強調処理、センタスピーカ１３１から出力される音声信号を増幅すると共に、他のスピーカから出力される音声信号を減幅するバランス調整処理が行われる。
【００７１】
チャンネル数変換処理部１８１、音場変更処理部１８２は、及び強調処理部１８３による処理は、前述のチャンネル数変換処理部１９１、音場変更処理部１９２と同様に、バーチャルサラウンドやプロロジック２（登録商標）、入力された音声信号に従って忠実に音声の再生を実現する音場（ピュア再生）、等を実現する処理を行う。
【００７２】
イコライザ処理部１８４は、イコライザ処理部１９４と同様に、周波数帯域毎に、ゲインを増減して音質をコントロールする機能を有し、フロントスピーカ１５２、１５３の指向性による周波数特性を補正する指向性補正処理を行うと共に、低音を増幅する低音増強処理を行う。
【００７３】
また、双方向インターフェース回路１５７がシステムコントローラ１５６とＨＤＭＩケーブル６、９のＣＥＣラインとの間に備わり、送受信される信号の双方向バッファ回路を構成する。
【００７４】
また、ＥＤＩＤ−ＲＯＭ１５８には、オーディオ機器２の音声出力仕様が記憶されており、ＨＤＭＩケーブル６、９のＤＤＣラインを介してテレビ受信機１やレコーダ５にこの音声出力仕様情報を伝達する。図示はしていないが、ＨＤＭＩ端子にはホットプラグ検出端子が備わっているので、ＨＤＭＩ端子が接続されたときにホットプラグ検出機能を使用してこれらの映像表示仕様や音声出力仕様情報がテレビ受信機１あるいはレコーダ５に伝達される。
【００７５】
ＨＤＭＩ受信用ＬＳＩ１５９は、ＨＤＭＩケーブルを介して受信したレコーダ５からの映像信号と映像信号を分離再生し、映像信号をＨＤＭＩ送信用ＬＳＩ１６０へ出力し、音声信号をＨＤＭＩ送信用ＬＳＩ１６０とセレクタ１４２へ出力する。
【００７６】
また、ＨＤＭＩ送信用ＬＳＩ１６０はＨＤＭＩ受信用ＬＳＩ１５９から入力した映像信号と音声信号をＨＤＭＩケーブル６のＴＭＤＳチャンネル１６７を介してテレビ受信機１のＨＤＭＩ受信用ＬＳＩ１１０に出力する。ＨＤＭＩ送信用ＬＳＩ１６０からＨＤＭＩ受信用ＬＳＩ１１０に出力される信号は、図４に示したようにＨＤＭＩ規格に基づいた信号（ＴＭＤＳリンクといわれる映像、音声、クロック信号）とされて送信される。
【００７７】
セレクタ１４２は、システムコントローラ１５６からの指示によりデジタルオーディオインターフェース復調部１４１からの音声信号、又はＨＤＭＩ受信用ＬＳＩ１５９からの音声信号のいずれか一方を選択して音声復調部１４３へ出力する。
【００７８】
また、本実施の形態のレコーダ５は、システムコントローラ１７２と、ＨＤＭＩ送信用ＬＳＩ１７１を具備している。システムコントローラ１７２は、ホストＣＰＵ４３によりレコーダ５の動作を制御するためのプログラムを備えている。このプログラムとしては、前記したメイン制御プログラムＭ１（又はＭ２）、入出力制御プログラムＰ１（又はＰ２１）、及び通信制御プログラムＰ２（又はＰ２２）と同様な処理機能を有するメイン制御プログラムＭ３、入出力制御プログラムＰ３１、通信制御プログラムＰ３２等を備えている。
【００７９】
ＨＤＭＩ送信用ＬＳＩ１７１は、システムコントローラ１７２の通信プログラムの指示に従い、レコーダ５内部の記憶手段に記憶した映像データ、ＨＤＭＩ送信用ＬＳＩ１７１からオーディオ機器２のＨＤＭＩ受信用ＬＳＩ１５９に向けて映像信号と音声データを送信する。また、システムコントローラ１７２は、図示されていないホットプラグ検出機能を使用して、テレビ受信機１のＥＤＩＲ−ＲＯＭに記憶された映像表示仕様、音声出力仕様、あるいはオーディオ機器２のＥＤＩＲ−ＲＯＭに記憶された音声出力仕様のデータを、ＤＤＣライン１６６を通して読み取ることができる。また、システムコントローラ１７２はＣＥＣライン１６５を通してテレビ受信機１又はオーディオ機器２のシステムコントローラ１１５、１５６と制御信号の授受ができるようになっている。図示していないがレコーダ内部では、ＣＥＣラインには双方向バッファ、ＤＤＣラインにはＥＤＩＤーＲＯＭがテレビ受信機１の双方向バッファ１３３やＥＤＩＤーＲＯＭ１３４と同様の構成で接続されている。
【００８０】
（テレビ受信機で受信した放送番組の音声をオーディオ機器で出力するときの制御の流れ）
次に、ユーザによって操作されるリモコン１１７からの指令により、テレビ受信機１が放送局からの放送番組を受信してテレビ受信機１の表示部１０９で映像表示し、オーディオ機器２のスピーカ１５２〜１５５から音声出力する場合の、映像信号、音声信号、及び制御信号の流れを、図７に従って説明する。なお、図７に示す制御ブロックは、図６に示した構成図と同じである。
【００８１】
オーディオ機器２の音声出力仕様は、テレビ受信機１がオーディオ機器２にＨＤＭＩケーブル６を介して接続された際、システムコントローラ１１５によりＥＤＩＤ−ＲＯＭ１５８の音声出力仕様データが読み取られて、予めメモリ１１８を構成するＲＡＭに記憶されている。
【００８２】
まず、テレビ受信機１はアンテナ１０４からの放送番組を受信できる状態にあるとする。
【００８３】
ユーザがリモコンを操作して、テレビ受信機１が放送局からの放送番組を受信して映像をテレビ受信機１の表示部１０９で表示し、音声をオーディオ機器２のスピーカ１５２〜１５５から出力するように切り替えるよう指示すると、リモコン１１７からの指令を受け取ったシステムコントローラ１１５は、映像復号部１０７の信号を選択するようにセレクタ１０８を切り替える。また、多重化復元部１０６からの信号を選択するようにセレクタ１１２を切り替える。また、ボリューム１２４のゲインを０として音声出力がスピーカ１２９〜１３２から出力されないように処理する。なお、このときオーディオ制御部１２１は動作を停止するとよい。
【００８４】
また、システムコントローラ１１５は、ＣＥＣラインを通してシステムコントローラ１５６に音声をオーディオ機器２のスピーカ１５２〜１５５から出力するよう指示する。この指令を受け取ったシステムコントローラ１５６はセレクタ１４２をデジタルオーディオインターフェース復調部１４１の信号を選択するように切り替え、また、システムコントローラ１１５からＣＥＣライン１６９を通して送られてくる放送番組の番組タイトル名、ジャンル情報、入力チャンネル数等の番組情報に応じて、最適な音場モードになるようにオーディオ制御部１４４の処理構成を切り替える処理を行う。
【００８５】
従って、映像復号部１０７で復号された映像信号はセレクタ１０８により選択されて表示部１０９に送られ、これにより表示部１０９は放送番組の映像を表示する。この映像信号は図７の実線（イ）で示した信号の流れで示される。
【００８６】
また、コンテンツ情報復号部１１１は、多重化復元部１０６から入力された番組情報を復号化すると共に、復号化された番組情報から抽出された番組タイトル名、ジャンル情報等の番組情報は、システムコントローラ１１５が入出力制御プログラムＰ１を作動させてメモリ１１８（ＲＡＭ）に出力される。また、多重化復元部１０６からの音声信号はセレクタ１１２により選択されて音声復号部１２０とデジタルオーディオインターフェース変調部１１３に出力される。
【００８７】
また、音声復号部１２０によって音声信号の入力チャンネル数が復号化される。そして、システムコントローラ１１５の入出力制御プログラムＰ１は、この入力チャンネル数に係わる情報を音声復号部１２０から読み取ってメモリ１１８（ＲＡＭ）に記憶する。続いて、入出力制御プログラムＰ１は通信制御プログラムＰ２を作動させて、読み取った番組タイトル名、ジャンル情報、入力チャンネル数等の番組情報を、オーディオ機器２に送信する。この指令は図７の一点鎖線（ロ）で示した信号の流れで示される。
【００８８】
オーディオ機器２のシステムコントローラ１５６は、テレビ受信機１から番組タイトル名、ジャンル情報、入力チャンネル数等の番組情報を受信すると、これらの情報をメモリ（ＲＡＭ）に記憶する。続いて、キーワード抽出プログラムＰ２３を作動させて、受信した番組タイトル名からキーワードを抽出する処理を行う。続いて、キーワード照合プログラムＰ２４を作動させて、この抽出したキーワードに対応する音場モードに係る情報とその音場制御情報を、予め設定されたキーワードごとに前記複数の音場モードの何れか一つの音場モードに係る情報とその音場制御情報とを関連付けして登録したデータベース等（図９に示すキーワードデータベースと、図１０に示す音場制御情報テーブル）を参照して求める処理を行う。そして、抽出したキーワードに対応する音場モードに係る情報とその音場制御情報が求められた場合には、キーワードによる音場制御プログラムＰ２７を作動させて、この求めた音場制御情報に基づいてオーディオ制御部１４４に対する音場制御指令を作成し、この制御指令の信号をオーディオ制御部１４４に出力する。この音場制御信号によりオーディオ制御部１４４は、音声信号を加工するための処理構成が放送番組の番組タイトル名等に含まれているキーワードを考慮した最適な音場モードを実現する構成に切り替えられる。
【００８９】
一方、番組タイトル名からキーワードに対応する音場モードに係る情報とその音場制御情報が求められなかった場合には、システムコントローラ１５６はジャンル・入力チャンネル数による音場制御プログラムＰ３０が作成した音場制御指令に基づく信号をオーディオ制御部１４４に出力する制御を行う。このジャンル・入力チャンネル数による音場制御プログラムＰ３０の処理内容については後記する。
【００９０】
テレビ受信機１のセレクタ１１２から出力された音声信号は、デジタルオーディオインターフェース変調部１１３にも出力されているので、さらに、デジタルオーディオインターフェース変調部１１３から、発光素子１１４、光ケーブル１８、オーディオ機器２の受光素子１４０を経由してデジタルオーディオインターフェース復調部１４１に伝送される。オーディオ機器２のセレクタ１４２は、デジタルオーディオインターフェース復調部１４１からの信号を選択し音声復調部１４３に送る。オーディオ制御部１４４は、既に上記したように放送番組の番組タイトル名に含まれているキーワードを考慮して放送番組の音声信号を加工するための処理構成に切り替えられている。これにより、オーディオ制御部１４４に入力した音声信号は加工が施され、放送番組の番組タイトル名に適した音場モードの音声をスピーカ１５２〜１５５から出力することが可能になる。このときの音声信号は、図７の点線（ハ）で示した信号の流れで示される。
【００９１】
（レコーダで録画番組を再生しその音声をオーディオ機器で出力するときの制御の流れ）
次に、ユーザによって操作されるリモコン１１７からの指令により、レコーダ５の録画番組等のコンテンツに係る映像信号を基にテレビ受信機１で映像表示し、レコーダ５の録画番組の音声信号を基にオーディオ機器２で音声出力する場合の、映像信号、音声信号、及び制御信号の流れを、図８に従って説明する。なお、図８に示す制御ブロックは、図６に示した構成図と同じである。
【００９２】
オーディオ機器２の音声出力仕様は、レコーダ５がオーディオ機器２にＨＤＭＩケーブル９を介して接続された際、システムコントローラ１７２によりＥＤＩＤ−ＲＯＭ１５８に記憶されている音声出力仕様データが読み取られて、予めシステムコントローラ１７２の記憶手段に記憶されている。
【００９３】
まず、レコーダ５は放送番組を録画しているとする。このとき、録画情報として放送番組の番組情報となる番組テーマ名、ジャンル情報、入力チャンネル数等も記録されている。
【００９４】
ユーザがリモコン１１７を操作して、レコーダ５の映像信号を基にテレビ受信機１で映像表示し、レコーダ５の音声信号を基にオーディオ機器２で音声出力するように切り替えるようシステムコントローラ１１５に指示すると、リモコン１１７からの指令を受け取ったシステムコントローラ１１５は、ＨＤＭＩ受信機１１０の映像信号を選択するようにセレクタ１０８を切り替える。また、ボリューム１２４のゲインを０として音声出力がスピーカ１２９〜１３２から出力されないように処理する。
【００９５】
なお、このときテレビ受信機１の放送受信部（チューナ１０５と、多重化復元部１０６と、映像復号部１０７、コンテンツ情報復号部１１１）、音声処理部（音声復号部１２０、オーディオ制御部１２１、デジタルオーディオインターフェース変調部１１３、発光素子１１４）は動作を停止するとよい。
【００９６】
また、システムコントローラ１１５は、ＨＤＭＩケーブル６のＣＥＣライン１６９を通してシステムコントローラ１５６にレコーダ５からの音声信号をオーディオ機器２のスピーカ１５２〜１５５で再生するよう指示する。この指令を受け取ったレコーダ５のシステムコントローラ１５６は、ＨＤＭＩ受信用ＬＳＩ１５９の音声信号を選択するようにセレクタ１４２を切り替える。
【００９７】
レコーダ５により録画した放送番組の再生がスタートすると、レコーダ５に搭載されているメイン制御プログラムＭ３、入出力制御プログラムＰ３１、通信制御プログラムＰ３２は、録画情報としてＨＤＭＩケーブル９のＣＥＣライン１６５を通して、放送番組の番組タイトル名、ジャンル情報、入力チャンネル数等の番組情報をオーディオ機器２のシステムコントローラ１５６に送信する処理を行う。この処理における放送番組の番組タイトル名、ジャンル情報、入力チャンネル数等の番組情報がオーディオ機器２のシステムコントローラ１５６に出力されるときの制御信号の流れは図８の一点鎖線（ホ）で示される。
【００９８】
オーディオ機器２のシステムコントローラ１５６は、これら番組情報を受信すると、前記と同様にキーワード抽出プログラムＰ２３、キーワード照合プログラムＰ２４、キーワードによる音場制御プログラムＰ２９を作動させて、オーディオ制御部１４４に対する音場制御指令を作成し、この制御指令の信号をオーディオ制御部１４４に出力する処理を行う。また、番組タイトル名からキーワードに対応する音場モードに係る情報とその音場制御情報が求められなかった場合には、システムコントローラ１５６はジャンル・入力チャンネル数による音場制御プログラムＰ３０が作成した音場制御指令に基づく信号をオーディオ制御部１４４に出力する制御を行う。
【００９９】
一方、レコーダ５のＨＤＭＩ送信用ＬＳＩ１７１、オーディオ機器２のＨＤＭＩ受信用ＬＳＩ１５９、ＨＤＭＩ送信用ＬＳＩ１６０、テレビ受信機１のＨＤＭＩ受信用ＬＳＩ１１０を介して送られた映像信号は、セレクタ１０８により選択されて表示部１０９に送られ、これにより表示部１０９は放送番組の映像を表示する。この映像信号の流れは図８の実線（ニ）で示される。
【０１００】
また、レコーダ５のＨＤＭＩ送信用ＬＳＩ１７１、オーディオ機器２のＨＤＭＩ受信用ＬＳＩ１５９を介してセレクタ１４２に入力された音声信号は、セレクタ１４２で選択されて音声復調部１４３に送られる。オーディオ機器２のオーディオ制御部１４４は、既に前記したように放送番組の番組タイトル名から抽出したキーワード等に対応した音場モードを実現する処理構成に切り替えられているので、オーディオ制御部１４４に入力した音声信号は加工が施されてスピーカ１５２〜１５５から出力される。この音声信号の流れは図８の点線（ヘ）で示される。
【０１０１】
これにより、レコーダ５で録画番組を再生しその音声をオーディオ機器２で出力する場合においても、放送番組の番組タイトル名から抽出したキーワードを考慮した音場モードに対応する音声をスピーカ１５２〜１５５から出力することが可能になる。
【０１０２】
（データベース、データテーブルの構成）
続いて、上記した音場制御の処理を行うために必要なデータベースとデータテーブル（テーブル）のデータ構成について説明する。これらのデータベースとデータテーブルはテレビ受信機１とオーディオ機器２が備えてメモリ（ＲＯＭ）等に記憶されている。
【０１０３】
図９は、上記したキーワード参照プログラムＰ４（又はＰ２４）が参照するキーワードデータベース（以下、キーワードＤＢという）について、そのデータ構成の一例を説明するための図である。
【０１０４】
キーワードＤＢ３００は、予め設定したキーワードごとに音場モードに係る情報を登録したデータベースである。この音場モードに係る情報としては、例えば、予めネーミングされた音場モードの名称（以下、音場モード名という）とそのコード（以下、音場名コードという）を登録したデータベースである。
【０１０５】
キーワードＤＢ３００に登録しているキーワードに関するデータは、図９に示すように「歌劇」、「落語」、「プロ野球」、・・・等の一般的な名詞からなるキーワード、図９には示していないが、例えば歌手等の人名からなるキーワード、さらに、放送番組の番組タイトル名そのものをキーワードとして登録したものである。なお、これらキーワードは文字情報（テキストデータ）としてキーワード別データベースに登録する。
【０１０６】
同じく図９に示す音場モード名は、予め設定した複数の音場モードのそれぞれに対してネーミングした名称を示している。そして、キーワード別データベース３００には、キーワードごとに一つの音場モード名とその音場名コードを登録した構成になっている。なお、この音場モード名は、本発明を実施するためのテレビ受信機や音声再生装置の取扱説明書等への記載を考慮して、ユーザが理解し易い適切なネーミングを行うようにする。
【０１０７】
図１０は、音場制御情報テーブルについてそのデータ構成の一例を説明するための図である。音場制御情報テーブル４００は、キーワードＤＢ３００に登録している音場モードに係る情報と関連付けして、音場モードに係る情報ごとに音場モードを実現するための音場制御情報を登録したデータテーブルである。この音場制御情報は、オーディオ制御部１２１（又は１４４）において放送番組の音声信号をこの音場モードに対応した加工を施すための制御情報である。
【０１０８】
音場制御情報テーブル４００は、例えば、キーワード照合プログラムＰ４（又はＰ２５）が番組タイトル名に含まれているキーワードに対応した音場モードを実現するための音場制御情報を求める処理を行うとき、等において参照される。
【０１０９】
図１０に示す例では、複数の音場モードに対応する音場モード名として４種の「じっくり視聴」、「ピュア再生」、「ながら視聴」、「声強調」とその音場名コードごとに、音場制御情報に関するデータを登録している。
【０１１０】
この音場モード名である「じっくり視聴」は、音声出力の視聴スイートスポットは狭いがサラウンド効果により臨場感を大きくし、かつセンタスピーカでセリフも聞き取り易くすることによりユーザはテレビ受信機の正面でじっくりと視聴することができることを示す音場モードを意味する。同じく「ピュア再生」は、ソースの音声信号を忠実に音声として出力することを示す音場モードを意味する。同じく「ながら視聴」は、音声出力にステレオ感を残しつつ、ユーザはテレビ受信機の正面にいなくても声を聞き取り易くしたことを示す音場モードを意味する。また、「声強調」は、音声出力のステレオ感は少ないがセンタスピーカ使用により声の聞き取り易さに重点をおいたことを示す音場モードを意味する。
【０１１１】
音場制御情報テーブル４００に登録している音場制御情報は、例えば、バーチャルサラウンドをＯＮするかＯＦＦするかを示す情報（ＶＳ  ＯＮ／ＯＦＦ）、ＰＬ２（プロロジック２）をＯＮするかＯＦＦするかを示す情報（ＰＬ２  ＯＮ／ＯＦＦ）、及びゲイン設定情報に関する情報から構成されるようにする。なお、ゲイン設定情報としては、音声出力するスピーカの数を制御するためにMixer部（図１７、図１８参照）のゲインを設定するための制御情報、スピーカ間の音量のバランスを制御するためにVolume部（図示せず）のゲインを設定するための制御情報、等を登録している。
【０１１２】
なお、上記したキーワードＤＢ３００と音場制御情報テーブル４００とは、キーワードをキーにして一つのデータベースに統一してもよい。
【０１１３】
図１１は、ジャンル情報・入力チャンネル数別音場モードテーブルについてそのデータ構成の一例を説明するための図である。図１１に示すジャンル情報・入力チャンネル数別音場モードテーブル５００は、放送番組の番号情報に含まれるジャンル情報と入力チャンネル数に係る情報について、これら双方の情報と関連付けして設定した音場モードに係る情報とその音場制御情報を登録したデータテーブルである。図１１においては、入力チャンネル数ごとに、ジャンル情報と、このジャンル情報に対応して図１０に示す４種の音場モードに係る情報の何れか１種とその音場制御情報とを関連付けして登録した例を表している。
【０１１４】
また、図１１に示す各音場モードに係る情報の音場制御情報は、図１０に示す音場制御情報テーブル４００に登録している音場制御情報に関する情報とほぼ同一のデータが記憶されている。
【０１１５】
なお、ジャンル情報・入力チャンネル数別音場モードテーブル５００は、前記したキーワード参照プログラムＰ４（又Ｐ２４）が番組タイトル名から抽出したキーワードに対応する音場モードに係る情報を求めることができなかったときに、ジャンル・入力チャンネル数による音場制御プログラムＰ１０（又はＰ３０）等が参照するデータテーブルである。
【０１１６】
図１２は、音場モード選択優先順位テーブルのデータ構成例を説明するための図である。図１２に示す音場モード選択優先順位テーブル６００は、前記した４種の音場名コード（又は音場モード名）ごとに、この音場名コード（又は音場モード名）を選択するための優先順位を設定したデータテーブルである。図１２に示す例は、音場モード名「ピュア再生」の優先順位を「１」にして選択の優先順位を最も高くし、音場モード名「じっくり視聴」の優先順位を「４」にして選択の優先順位を最も低く設定したことを示している。
【０１１７】
なお、音場モード選択優先順位テーブル６００は、キーワード照合プログラムＰ４（又はＰ２４）等が複数種の音場モードに係る情報を求めたときに、音場モード選択優先順位テーブル６００を参照してこれら複数種の音場モードに係る情報から選択の優先順位の最も高い１種の音場モードに係る情報を求める処理を行うときに参照されるデータテーブルである。
【０１１８】
（音場制御の手順）
続いて、ユーザがリモコン１１７により、テレビ受信機１が放送局からの放送番組を受信してその映像をテレビ受信機１の表示部１０９で表示し、音声をオーディオ機器２のスピーカ１５２〜１５５から出力する操作を行ったときに、その音場制御の手順の一例を説明する。
【０１１９】
ユーザが上記したリモコン１１７の操作を行うと、前記したように、システムコントローラ１１５は、放送局からの映像信号であって映像復号部１０７により復号化された映像信号を選択するようにセレクタ１０８を切り替える。また、多重化復元部１０６からの音声信号を選択するようにセレクタ１１２を切り替える。さらに、ボリューム１２４のゲインを０として音声出力がスピーカ１２９〜１３２から出力されないように処理する。これにより、テレビ受信機１のセレクタ１１２から出力された音声信号は、前記したように図７の点線（ハ）で示した信号の流れに従ってオーディオ機器２の音声復調部１４３に送られることになる。
【０１２０】
また、放送番組を受信したテレビ受信機１は、放送番組に含まれている番組タイトル名、ジャンル情報、入力チャンネル数等の番組情報を入出力制御プログラムＰ１により読み取ってメモリ（ＲＡＭ）１１８に記憶する処理を行う。前記したように、放送番組に含まれている音声信号は、音声復号部１２０によって音声信号の入力チャンネル数が復号化される。一方、放送番組に含まれている番組情報は、コンテンツ情報復号部１１１で抽出される。そして、システムコントローラ１１５は通信制御プログラムＰ２を作動させて、メモリ（ＲＡＭ）１１８に記憶した番組情報をオーディオ機器２に送信する。そして、オーディオ機器２のＲＯＭに記憶（搭載）されているプログラムは、テレビ受信機１から受信した放送番組の番組タイトル名から抽出したキーワードに基づいた音場モードを実現するための処理を優先して行う。
【０１２１】
図１５は、オーディオ機器２に搭載されているプログラムが、テレビ受信機１から送信された音声信号を音声出力するときの音場制御の処理手順を示すフローチャートである。以下、音場制御の手順を図１５に示すステップごとに説明する。
【０１２２】
（ステップＳ１）
オーディオ機器２のシステムコントローラ１５６は、テレビ受信機１から番組情報を受信すると入出力制御プログラムＰ２１を作動させて、受信した番組情報をメモリ（ＲＡＭ）に記憶する。続いて、システムコントローラ１１５はキーワード抽出プログラムＰ２３を作動させて、メモリ１１８に記憶した番組情報の番組タイトル名からキーワードを抽出し、抽出したキーワードをメモリに記憶する処理を行う。このキーワード抽出プログラムＰ２３による番組タイトル名からキーワードを抽出する処理は、番組タイトル名を表すテキストデータの文字配列から、番組タイトル名そのものをキーワードとして抽出する処理と、番組タイトル名に含まれているキーワードを抽出してメモリに記憶する処理の一方、または双方の処理を行うようにする。なお、これら双方の処理を行う場合には、キーワードとして抽出した番組タイトル名そのもののデータと、番組タイトル名に含まれている文字列から抽出したキーワードとが識別できるようにメモリに記憶するようにするとよい。
【０１２３】
また、番組タイトル名に含まれているキーワードの抽出は、番組タイトル名のテキストデータから名詞を抽出する処理を行う。このテキストデータから名詞を抽出する方法は、例えば、番組タイトル名の文字列に含まれている「の」、「に」、「は」、「が」等の助詞を判定し、これら助詞の前後の文字列を名詞と判定する。そして、この名詞と判定した文字列をキーワードとして抽出する処理を行う。また、漢字データが２文字以上連続している場合には、連続した漢字２文字、３文字、等を抽出して、これらの漢字文字列をキーワードとする処理等、公知のキーワード抽出方法を採用する。なお、ステップＳ１の処理においては、番組タイトル名から複数種のキーワードが抽出される場合があり得る。
【０１２４】
（ステップＳ２）
続いて、システムコントローラ１５６は、キーワード照合プログラムＰ２４を作動させて、ステップＳ１の処理で抽出した全てのキーワードについて、その各キーワードがキーワードＤＢ３００に登録されているか否かを判定する処理を行う。この判定処理により、抽出したキーワードがキーワードＤＢ３００に登録されている場合にはステップＳ３に進み、登録されていない（未登録）場合にはステップＳ４に進む。また、キーワードが抽出できなかったときもステップＳ４に進む処理を行うようにする。
【０１２５】
なお、ステップＳ２の処理においては、最初にステップＳ１の処理で抽出した番組タイトル名そのものがキーワードＤＢ３００に登録されているか否かを判定する処理を行い、登録されている場合にはステップＳ３に進む。一方、登録されていない場合には、番組タイトル名から抽出したキーワードがキーワードＤＢ３００に登録されているか否かを判定する処理を行うようにするとよい。この理由は、キーワードＤＢ３００において、キーワードに対応して登録する音場モードに係る情報は、番組タイトル名そのものを示すキーワードに関してはその放送番組に最適な音場モードに係る情報を予め登録することができるからである。
【０１２６】
（ステップＳ３）
ステップＳ２の判定処理により抽出したキーワードがキーワードＤＢ３００に登録されていると判定されたので、この登録されていると判定されたキーワードに対応してキーワードＤＢ３００に登録されている音場モードに係る情報である音場モード名（又は音場名コード）を読み取って、このキーワードと関連付けしてメモリに記憶する処理を行う。続いて、キーワードによる音場制御プログラムＰ２８は、キーワードＤＢ３００から読み取った音場モード名（又は音場名コード）に対応する音場制御情報を、音場制御情報テーブル４００を参照して求め、この求めた音場制御情報を、キーワードＤＢ３００から読み取った音場モード名（又は音場名コード）と関連付けしてメモリに記憶する。
【０１２７】
このステップＳ３の処理において、番組タイトル名からキーワードとして「落語」が抽出された場合には、キーワードがキーワードＤＢ３００と音場制御情報テーブル４００を参照することにより、キーワード「落語」に対応する音場モードに係る情報として音場モード名「声強調」、その音場名コードとして「Ｋ」、制御情報としてはこの音場モード名「声強調」に対応して「ＶＳ  ＯＮ／ＯＦＦ」と「ＯＬ２  ＯＮ／ＯＦＦ」に関する情報が「ＯＦＦ」、ゲイン設定情報に関する情報としてMixer部が「ＭＫ」、Volume部が「ＶＫ」を得ることができる。
【０１２８】
このステップＳ３の処理においては、前記したように番組タイトル名から複数種のキーワードが抽出され、かつ、これら抽出された複数種のキーワードもキーワードＤＢ３００に登録されている可能性もある。従って、抽出したキーワードに対応させて、キーワードＤＢ３００に登録されている音場モード名（又は音場名コード）をメモリに記憶する処理を行うようにする。
【０１２９】
（ステップＳ４）
ステップＳ２の判定処理により、番組タイトル名から抽出したキーワードがキーワードＤＢ３００に登録されていないと判定されたので、システムコントローラ１５６はジャンル・入力チャンネル数による音場制御プログラムＰ３０を作動させる。ジャンル・入力チャンネル数による音場制御プログラムＰ３０は、上記ステップＳ１の処理で番組情報から読み取ったジャンル情報と入力チャンネル数の双方に一致する音場モードに係る情報とその音場制御情報を、ジャンル情報・入力チャンネル数別音場モードテーブル５００を参照して求め、求めた情報をメモリに記憶した後、ステップＳ５に進む。
【０１３０】
（ステップＳ５）
上記ステップＳ３またはＳ４の処理においては、複数種の音場モードに係る情報、すわわち、複数種の音場モード名（又は音場名コード）が求められる可能性がある。この理由は、前記したようにステップＳ１の処理で複数個のキーワードが抽出される場合があるために、上記ステップＳ２〜Ｓ３の処理において複数種の音場モードに係る情報が求められる可能性があるからである。さらに、放送番組の番組情報には複数のジャンル情報を含めることができるために、ステップＳ４において複数種の音場モード名（又は音場名コード）が求められる可能性があるからである。
【０１３１】
従って、ステップＳ５においては、キーワード照合プログラムＰ２４は上記ステップＳ３又はステップＳ４の処理において複数種の音場モード名（又は音場名コード）に係る情報が求められたか否かを判定する処理を行う。この判定処理においては、例えば、ステップＳ３またはＳ４の処理においてメモリに記憶した音場名コードが複数種記憶されているか否かを判定する処理を行う。この判定処理の結果、複数種の音場名コードが求められた場合には次のステップＳ６に進む。一方、１種の音場名コードが求められていた場合にはステップＳ７に進む。
【０１３２】
（ステップＳ６）
上記ステップＳ５の処理で複数種の音場名コードが求められたと判定されたので、キーワード照合プログラムＰ２４は優先順位による音場モード選択プログラムＰ２７を作動させて、これら複数種の音場名コードからその1種の音場名コードを選択する処理を行う。この選択処理は、ステップＳ３またはＳ４の処理においてメモリに記憶された音場名コードについてその選択の優先順位が最も高い音場名コードを、音場モード選択優先順位テーブル６００を参照して選択する処理を行う。そして、選択した音場名コードとその音場制御情報をメモリの所定領域に記憶する処理を行う。
【０１３３】
このステップＳ６の処理においては、ステップＳ５の処理で複数種の音場名コードが求められたときに、これら複数種の音場名コードから、予め設定した選択の優先順位が高い１種の音場名コードを選択し、続いてこの選択した音場名コードに設定されている音場制御情報を求めるようにしている。従って、従来から採用されている番組情報に含まれているジャンル情報から音場制御情報を求める処理は行っていない。なお、ステップＳ６の処理においてこのような処理を行うと、予め設定した複数の音場モードの種類数（本実施形態では４種）がジャンル情報の種類数より少ないときには、ジャンル情報に選択の優先順位を設定して一つのジャンル情報を選択する従来の方法と比較してプログラム処理が簡素化されるという効果が生じる。
【０１３４】
（ステップＳ７）
上記ステップＳ３又はステップＳ４の処理で求めてメモリに記憶した１種の音場名コードとその音場制御情報をメモリの所定領域に記憶する処理を行ってステップＳ８に進む。
【０１３５】
（ステップＳ８）
システムコントローラ１５６は音場切り替え指令プログラムＰ１１を作動させて、ステップＳ６又はＳ７の処理でメモリの所定領域に記憶した音場名コードに対応する音場制御情報に基づいて、オーディオ制御部１４４の処理構成を切り替えるための音場制御指令を作成する処理を行う。この処理おいては、音場名コードに対応してメモリに記憶した音場制御情報、すなわち、「ＶＳ  ＯＮ／ＯＦＦ」情報、「ＰＬ２ＯＮ／ＯＦＦ」情報、ゲイン設定情報を考慮した音場制御指令が作成されることになる。
【０１３６】
（ステップＳ９）
音場切り替え指令プログラムＰ１１は、ステップＳ８の処理で作成した音場制御指令の信号をオーディオ制御部１４４に出力する処理を行う。これにより、オーディオ制御部１４４の電子回路構成は、音声信号をこの音場制御指令の信号に対応した加工処理を行う構成に切り替えられる。
【０１３７】
上記したステップＳ１〜Ｓ９の処理により、オーディオ機器２はテレビ受信機１から受信した番組情報の番組タイトル名から抽出したキーワードを考慮した音場モードに対応する音声出力を行うための制御を優先して実行することができるようになる。すなわち、本実施形態においては、従来の番組情報に含まれているジャンル情報のみを考慮した音場制御方法と比較して、番組タイトル名に含まれているキーワードを考慮した音場制御を行うので、放送番組の音声信号を放送番組の内容により適した音場モードによる音声を出力することが可能になる。
【０１３８】
なお、上記した実施形態の説明においては、番組情報に含まれている番組タイトル名からキーワードを抽出する例について説明したが、番組タイトル名の他に、番組タイトル名に関連する番組情報として番組配列情報（ＳＩ）に含まれている番組概要に関するデータからもキーワードを抽出する処理を行うようにしてもよい。また、リモコン１１８の操作により、番組情報からキーワードを抽出する対象を番組タイトル名と番組概要とを任意に選択可能にしてもよい。いずれにしても、本発明においては、キーワードを抽出する対象は少なくとも番組タイトル名に関連する情報とすることが望ましい。
【０１３９】
上記したステップＳ１〜Ｓ９の処理による音場制御方法（第１の音場制御方法）は、番組情報の番組タイトル名等から抽出したキーワードが、予め選定したキーワードごとに音場モードに係る情報を登録したキーワードＤＢ３００に登録されているか否かを優先して判定する処理を行う。そして、この判定処理の結果、抽出したキーワードに対応する音場モードに係る情報が登録されているとこの音場モードに係る情報の音場制御情報を求め、この音場制御情報に基づいてオーディオ制御部１４４の電子回路の構成を切り替える制御を行うことに特徴がある。
【０１４０】
この第１の音場制御方法においては、番組情報の番組タイトル名等から抽出したキーワードを考慮して、複数の音場モードのなかから番組タイトル名等に適合した一つの音場モードに対応した音声出力を行うことが可能になる。一方、番組情報に含まれている番組タイトル名や番組概要に関するテキスト文字配列データには種々のテキスト文字が含まれている。このため、上記ステップＳ１の処理においては複数種のキーワードが抽出され、かつ抽出されたキーワードには放送番組の内容を的確に表現していないキーワードが含まれる可能性がある。これを改善した音場制御方法が、以下に説明する第２の音場制御方法である。
【０１４１】
この第２の音場制御方法の制御手順は、上記第１の音場制御方法において、受信した番組情報の番組タイトル名等から抽出したキーワードがキーワードＤＢ３００に登録されていると判定されると、さらに、このキーワードに設定されているジャンル情報を、図１６に示すキーワード・ジャンル情報データベース７００（以下、キーワード・ジャンル情報ＤＢという）を参照して求める処理を行う。そして、この求めたジャンル情報が放送番組の番組情報から読み取ったジャンル情報と一致していると、番組情報から抽出したこのキーワードに対応してキーワードＤＢ３００に登録されている音場モードに係る情報の音場制御情報に基づいて、オーディオ制御部１４４の電子回路構成を切り替える処理を行うようにしていることに特徴がある。
【０１４２】
なお、キーワード・ジャンル情報ＤＢ７００は、図９に示すキーワードＤＢと同様に予め設定したキーワードごとに、音場モードに係る情報（音場モード名とそのコード）とジャンル情報（コード化された情報）の一つとを関連付けして登録したデータベースである。すなわち、キーワード・ジャンル情報ＤＢ７００は、予め設定したキーワードごとに、音場モードに係る情報と放送番組の付加情報である番組情報に含まれているジャンル情報のうちの１種とを関連付けして登録したデータベースになる。
【０１４３】
図１７は、第２の音場制御方法についてその処理手順を示すフローチャートである。以下、図１７に基づいて音場を制御する手順をステップごとに説明する。
【０１４４】
（ステップＳ２１）〜（ステップＳ２７）
ステップＳ２１〜ステップＳ２７の各ステップの処理うち、ステップＳ２２とステップＳ２３を除いた処理は、前記した図１５に示すステップＳ１〜ステップＳ７の各ステップの処理と同一になるので、同一のステップの処理内容の説明は省略し、以下、ステップＳ２２とステップＳ２３の処理と、ステップＳ２８以降の処理について説明する。
【０１４５】
（ステップＳ２２）
システムコントローラ１５６は、ジャンル情報判定プログラムＰ２５を作動させて、ステップＳ２１の処理で抽出した全てのキーワードについて、その各キーワードがキーワード・ジャンル情報ＤＢ７００に登録されているか否かを判定する処理を行う。この判定処理により、抽出したキーワードがキーワード・ジャンル情報ＤＢ７００に登録されている場合にはステップＳ２３に進み、登録されていない（未登録）場合にはステップＳ２４に進む。また、キーワードが抽出できなかったときもステップＳ２４に進む処理を行うようにする。
【０１４６】
（ステップＳ２３）
ステップＳ２２の判定処理により抽出したキーワードがキーワード・ジャンル情報ＤＢ７００に登録されていると判定されたので、この登録されていると判定されたキーワードに対応してキーワード・ジャンル情報ＤＢ７００に登録されている音場モードに係る情報である音場モード名（又は音場名コード）とジャンル情報を読み取って、このキーワードと関連付けしてメモリに記憶する処理を行う。続いて、キーワード・ジャンル情報による音場制御プログラムＰ２９は、キーワード・ジャンル情報ＤＢ７００から読み取った音場モード名（又は音場名コード）に対応する音場制御情報を、音場制御情報テーブル４００を参照して求め、この求めた音場制御情報を、キーワード・ジャンル情報ＤＢ７００から読み取った音場モード名（又は音場名コード）とジャンル情報とに関連付けしてメモリに記憶する。
【０１４７】
（ステップＳ２８）
システムコントローラ１５６は、ジャンル情報有効性判定プログラムＰ２６を作動させて、上記ステップＳ２８で求めたジャンル情報が上記ステップＳ２１の処理で読み取ってメモリに記憶したジャンル情報、すなわち、放送番組の番組情報に含まれていたジャンル情報と一致するか否かを判定する処理を行う。この判定処理の結果、一致した場合にはステップＳ２９に進み、不一致の場合にはステップＳ２４に進む。
【０１４８】
（ステップＳ２９）
ジャンル情報有効性判定プログラムＰ２６は、ステップＳ２８の処理で一致したと判定したジャンル情報に対応する音場制御情報を求めてメモリに記憶する。このジャンル情報に対応する音場制御情報は、上記ステップＳ２３の処理でこのジャンル情報と関連付けしてメモリに記憶した音場制御情報として求める処理を行う。
【０１４９】
なお、図１７に示すステップＳ２４の処理は前記したステップＳ４の処理と同一であって、番組情報から抽出したジャンル情報と入力チャンネル数の双方に一致する音場モードに係る情報（音場名コード、音場制御情報）を、ジャンル情報・入力チャンネル数別音場モードテーブル５００を参照して求め、求めた音場モードに係る情報とその音場制御情報をメモリに記憶する処理を行う。そして、ステップＳ２４の処理が終了するとステップＳ３０に進む。
【０１５０】
（ステップＳ３０）
上記ステップＳ２４の処理で、複数種の音場モードに係る情報が求められたか否かを判定する処理を行う。この処理においては、例えば、音場モードに係る情報のうち音場名コードが複数種求められてメモリに記憶されているか否かを判定する。そして、１種の音場名コードが求められた場合にはステップＳ３１に進む。一方、複数種の音場名コードが求められた場合にはステップＳ３２に進む。
【０１５１】
（ステップＳ３１）
ジャンル・入力チャンネル数による音場制御プログラムＰ３０は、上記ステップＳ２４の処理で求めた１種の音場モードに係る情報の音場制御情報をメモリの所定の記憶領域に記憶する処理を行って、ステップＳ３３に進む。
【０１５２】
（ステップＳ３２）
上記ステップＳ２４により複数種の音場モードに係る情報が求められたので、この複数種の音場モードに係る情報からその１種を選択する処理を行う。この処理は、優先順位に音場モード選択プログラムＰ２７により、音場モード選択優先順位テーブル６００を参照して、求められた複数種の音場モードに係る情報のうち、その音場名コードに設定されている優先順位が最も高い音場名コードに対応する音場モードに係る情報を選択する処理を行う。続いて、この選択した音場モードに係る情報の音場制御情報をメモリの所定領域に記憶する処理を行って、ステップＳ３３に進む。
【０１５３】
（ステップＳ３３）
システムコントローラ１５６は音場切り替え指令プログラムＰ３１を作動させて、ステップＳ２９、Ｓ３１、Ｓ３２の何れかのステップで求めてメモリに記憶した音場制御情報に基づいて制御指令を作成する処理を行う。
【０１５４】
（ステップＳ３４）
ステップＳ３３で作成した制御指令の信号をオーディオ制御部１４４に出力する。これにより、オーディオ制御部１４４の電子回路構成は、音声信号をこの制御指令の信号に対応した加工処理を行う構成に切り替えられる。
【０１５５】
上記したステップＳ２１〜Ｓ３４の処理により、受信した放送番組のデータに含まれている番組情報の番組タイトル名等から抽出したキーワードを考慮した音場モードの実現を、ジャンル情報を考慮した音場モードの実現より優先して行うことが可能になる。
【０１５６】
また、上記した第２の音場制御方法においては、受信した放送番組の番組タイトル名から抽出したキーワードが、キーワード・ジャンル情報ＤＢ７００に登録されているか否かを判定、すなわち、番組情報から抽出したキーワードの有効性を判定する処理を行っている。さらに、抽出したキーワードがキーワード・ジャンル情報ＤＢ７００に登録されていると判定されると、このキーワードに対応してキーワード・ジャンル情報ＤＢ７００に登録されているジャンル情報が放送番組の番組情報から読み込んだジャンル情報と一致するか否かを判定する処理を行う。そして、一致したときに、番組情報の番組タイトル名から抽出したキーワードに対応してキーワードＤＢ３００に登録している音場モードに係る情報に対応する音場制御情報に基づいて、オーディオ制御部１４４は受信した音声信号に加工処理を施すようにしている。これにより、第２の音場制御方法では、番組情報の番組タイトル名から抽出したキーワードに基づいて、より放送番組の番組内容に適合した最適な音場モードで音声出力を行うことが可能になる。
【０１５７】
この第２の音場制御方法において、上記のように放送番組の番組内容により適合した音場モードで音声出力を行うことが可能になるという例を、オーディオ機器２による音場制御例に基づいて説明する。
【０１５８】
例えば、下記放送番組（１）と放送番組（２）について、その音声信号の音場制御を図１７に示す第２の音場制御方法に従って実行すると、音声信号を音声出力するための制御は次のように実行される。なお、キーワード抽出プログラムＰ２３は、番組タイトル名に含まれている名詞を抽出する処理のみを行うものとする。
放送番組（１）
放送番組の番組タイトル名：落語特選２０
番組情報のジャンル情報  ：趣味／教育        
放送番組（２）
放送番組の番組タイトル名：落語家の半生
番組情報のジャンル情報  ：ドラマ
【０１５９】
なお、上記のように放送番組（１）の番組情報に含まれている番組タイトル名は「落語特選２０」、そのジャンル情報は「趣味／教育」である。また、放送番組（２）の番組情報に含まれている番組タイトル名は「落語家の半生」、そのジャンル情報は「ドラマ」である。なお、図１６に示すように、キーワード・ジャンル情報ＤＢ７００にはキーワードワードの「落語」が登録されており、その音場モード名は「声強調」、ジャンル情報は「趣味／教育」が登録されているものとする。
【０１６０】
上記放送番組（１）については、下記の音場制御の処理が行われる。
（１）キーワード抽出プログラムＰ２３は、番組タイトル名「落語特選２０」からキーワードとして「落語」、「落語特選」等を抽出する。
（２）ジャンル情報判定プログラムＰ２５は、キーワード・ジャンル情報ＤＢ７００を参照して抽出したキーワード「落語」と「落語特選」が登録されているか否かを判定する。この判定処理の結果、キーワード「落語」は登録されているので、キーワード「落語」に対応してキーワード・ジャンル情報ＤＢ７００に登録されている音場名コード「Ｋ」と、ジャンル情報「趣味／教育」を読み取ってメモリに記憶する。一方、キーワード「落語特選」はキーワード・ジャンル情報ＤＢ７００に登録されていないので、キーワード「落語特選」に対する処理はこれ以上行わない。
【０１６１】
（３）続いて、ジャンル情報有効性判定プログラムＰ２６は、上記（２）で読み取ったジャンル情報が、番組情報から読み取ったジャンル情報と一致するか否かを判定する処理を行う。放送番組（１）のジャンル情報はその番組情報から「趣味／教育」に設定されているので、ジャンル情報は一致することになる。これにより、放送番組（１）の音声信号は、キーワード「落語」に対応する音声モード「声強調」に対応する音場、すなわち、音声出力のステレオ感は少ないがセンタスピーカ使用により話し手の声が極めて聞き取り易い音場モードが実現されることになる。
【０１６２】
一方、放送番組（２）については、番組タイトル名「落語家の半生」に基づいてキーワード抽出プログラムＰ２３によりキーワード「落語」、「落語家」、「半生」等が抽出される。しかし、キーワード「落語」は上記のようにキーワード・ジャンル情報ＤＢ７００に登録され、そのジャンル情報は「趣味／教育」であるが、放送番組（２）のジャンル情報は「ドラマ」であるので両者のジャンル情報は一致しない。これにより、放送番組（２）については、図１７に示すステップＳ２４の処理、すなわち、番組タイトル名から抽出したキーワードを考慮しないジャンル情報・入力チャンネル数別音場モードテーブル５００を参照して音場制御情報を求める処理が実行されることになる。
【０１６３】
なお、上記ステップＳ２８の処理においては、番組タイトル名から抽出したキーワードに対応してキーワード・ジャンル情報ＤＢ７００に登録されているジャンル情報が、番組情報に含まれているジャンル情報と一致するか否かを判定するようにしているが、予め選定した特定のジャンル情報のみ、番組情報に含まれているジャンル情報と一致するか否かを判定する処理を行うようにしてもよい。この理由は、放送番組の番組タイトル名は番組のジャンルを的確に表していない場合もあり得る。従って、予め選定した特定のジャンル情報のみステップＳ２９の処理を実行するようにすると、放送番組の番組タイトル名から抽出したキーワードに基づいて放送番組に適した音場モードをより確実に実現することが可能になるからである。
【０１６４】
上記予め選定した特定のジャンル情報のみ、番組情報に含まれているジャンル情報と一致するか否かを判定する処理を実行するためには、例えば、次の手段を採用することができる。すなわち、図１６のキーワード・ジャンル情報ＤＢ７００において、特定のキーワードについてはそのジャンル情報を登録する欄に、番組情報に含まれているジャンル情報との一致をチェックしないことを示す情報（例えば「０」）を登録しておく。そして、上記したステップＳ２８の処理において、ジャンル情報に「０」が記憶されている場合には、ステップＳ２９に進むように制御する。
【０１６５】
上記した第２の音場制御方法においても、番組情報に含まれる番組タイトル名の他に、番組概要に関するデータからもキーワードを抽出する処理を行うようにしてもよい。また、リモコン１１８の操作により、番組情報からキーワードを抽出する対象を番組タイトル名と番組概要とを任意に選択可能にしてもよい。いずれにしても、本発明においては、キーワードを抽出する対象は少なくとも番組タイトル名にすることが望ましい。
【０１６６】
上記した音場モードを決定する手順については、ユーザのリモコン１１７の操作によりテレビ受信機１が放送局からの放送番組を受信してその映像をテレビ受信機１の表示部１０９で表示し、音声をオーディオ機器２のスピーカ１５２〜１５５から出力する操作を行ったときを例にして説明した。
【０１６７】
同様にして、テレビ受信機１が放送局からの放送番組を受信してその映像をテレビ受信機１の表示部１０９で表示し、音声をテレビ受信機１のスピーカ１２９〜１３２から出力するときは、テレビ受信機１のシステムコントローラ１１５により、テレビ受信機１が備えている図１３に示す各プログラムを図１５又は図１７に示す手順に従って作動させることにより、放送番組の番組情報の番組タイトル名等から抽出したキーワードを考慮した最適な音場モードに対応した音声出力を行うことができる。
【０１６８】
同様に、レコーダ５で録画した番組放送を再生しその音声をオーディオ機器２のスピーカ１５２〜１５５から出力するときは、オーディオ機器２が備えている図１４に示す各プログラムを図１５又は図１７に示す手順に従って作動させることにより、放送番組の番組情報の番組タイトル名等から抽出したキーワードを考慮した最適な音場モードに対応した音声出力を行うことができる。
【０１６９】
なお、上記実施形態の説明において、テレビ受信機１が放送局からの放送番組を受信してその映像をテレビ受信機１の表示部１０９で表示し、音声をオーディオ機器２のスピーカ１５２〜１５５から出力する場合、テレビ受信機１で受信した番組情報から抽出したキーワード、番組タイトル名、ジャンル情報等をオーディオ機器２に送信する例について説明したが、次の手段を採用してもよい。
【０１７０】
すなわち、テレビ受信機１側で、例えば図１５に示すステップＳ１〜Ｓ８まで実行する。そして、ステップＳ８で作成した音場制御情報をオーディオ機器２に送信する。オーディオ機器２側は、テレビ受信機１からこの音場制御情報を受信すると図１５に示すステップＳ９の処理を実行するようにする。この手段は、レコーダ５で再生した録画番組について、その音声信号をオーディオ機器２のスピーカ１５２〜１５５から出力する場合にも適用できる。この場合には、図１４に示すプログラムをレコーダ５のＲＯＭに記憶させておき、レコーダ５で図１５に示すステップＳ１〜Ｓ８まで実行し、ステップＳ８で作成した音場制御情報をオーディオ機器２に送信するようにする。
【０１７１】
（音声信号の加工処理）
図１８、図１９は、各音場モードを実現するオーディオ制御部１２１あるいは１４４の処理を概念的にブロックで示したもので、入力チャンネル信号（ＬＳ、Ｌ、Ｒ、Ｃ、ＲＳ）入力部から出力チャンネル信号（Ｌ、Ｒ、Ｃ、ＬＦＥ）出力部までの音声信号の加工（変換）処理が示されている。図１８は５．１ｃｈ入力時、図１９は２ｃｈ又は１ｃｈ入力時の処理概念図である。図１８、図１９に示したオーディオ制御部１２１（あるいは１４４）は、入力チャンネル数に応じて前記した音場の制御指令に基づく信号により内部の処理構成が制御的に変更されるものであり、ハードウェア的には同じものである。
【０１７２】
図１８、図１９において、ＬＳは左サラウンドチャンネルの音声信号、Ｌは左チャンネルの音声信号、Ｃはセンタチャンネルの音声信号、Ｒは右チャンネルの音声信号、ＲＳは右サラウンドチャンネルの音声信号、ＬＦＥは低音（２０Ｈz〜１２０Ｈz）の効果音の音声信号である。以下の説明では、符号ＬＳ、Ｌ、Ｒ、Ｃ、ＲＳを各処理ブロックの入出力に共通に使用するが、各処理ブロックに入力される各音声信号をＬＳ入力信号、Ｌ入力信号、Ｒ入力信号、Ｃ入力信号、ＲＳ入力信号と記載し、各処理ブロックから出力される各音声信号をＬＳ出力信号、Ｌ出力信号、Ｒ出力信号、Ｃ出力信号、ＲＳ出力信号と記載する。また、音声出力用スピーカとして、オーディオ制御部１２１（あるいは１４４）のＬ出力信号が入力される左スピーカ、オーディオ制御部１２１（あるいは１４４）のＲ出力信号が入力される右スピーカ、オーディオ制御部１２１（あるいは１４４）のＣ出力信号が入力されるセンタスピーカの３チャンネル、及び付加的にオーディオ制御部１２１（あるいは１４４）のＬＦＥ出力信号が入力される低音用サブウーハスピーカを想定している。
【０１７３】
また、図１８において、２０１はバーチャルサラウンド処理ブロック（以下、ＶＳ処理ブロックという）である。また、２０３は低音の音声信号を合成する処理ブロック（以下、ＢＡＳＳ処理ブロックという）である。２０８、２０９は信号遅延回路（delay）であり、ＬＳ、Ｌ、Ｒ、Ｃ、ＲＳの各信号が直接信号遅延回路２０８の入力部に達するタイミングに対し、ＶＳ処理ブロック２０１を通過したＬ、Ｒ、Ｃの各信号が信号遅延回路２０９の入力部に達するタイミングは時間的にずれがあるので、これらの信号タイミングが合うように調整して出力する信号遅延回路である。また、２０６は音声信号を所定のゲインで混合する処理ブロック（以下、Mixer処理ブロックという）である。
【０１７４】
Mixer処理ブロック２０６は、信号の大きさを調整するゲイン調整部Ｌ1〜Ｌ８、Ｃ１〜Ｃ８、Ｒ１〜Ｒ８と、ゲイン調整部Ｌ1〜Ｌ８から出力された信号の和をとる加算器２１２、ゲイン調整部Ｃ１〜Ｃ８から出力された信号の和をとる加算器２１３、ゲイン調整部Ｒ１〜Ｒ８から出力された信号の和をとる加算器２１４を備えている。
【０１７５】
ＢＡＳＳ処理ブロック２０３は、加算器２１２、２１３、２１４の出力信号の和をとる加算器２１５を備えている。
【０１７６】
図１９は、入力チャンネルが２ｃｈ入力時及び１ｃｈ入力時の処理を示したもので、２ｃｈ入力時はＬ信号とＲ信号が入力され、１ｃｈ入力時はＣ信号（点線で示す）が入力される。
【０１７７】
図１９において、２０７はプロロジック２処理（以下、ＰＬ２処理ブロックという）、２０２はＶＳ処理ブロックである。また、２０５はセレクタであり、ＰＬ２処理ブロック２０７のＬ、Ｃ、Ｒ出力信号、又はＶＳ処理ブロック２０２のＬ、Ｃ、Ｒ出力信号のいずれか一方を選択して通過させる。例えば、入力チャンネルが２ｃｈであって、上記した音場制御により音場モードとして「じっくり視聴」が選択されたときには、図１０の音場制御情報テーブル４００に示すように音場制御情報の「ＶＳ  ＯＮ／ＯＦＦ」と「ＰＬ２  ＯＮ／ＯＦＦ」がＯＮに設定されているので、前記した制御指令に基づく信号により「ＰＬ２＋ＶＳ」モードの音場を実現する構成になる。すなわち、ＰＬ２処理ブロック２０７においてプロロジック２のＬＳ、Ｌ、Ｃ、Ｒ、ＲＳ出力信号が生成され、さらにＶＳ処理ブロック２０２でバーチャルサラウンドＬ、Ｃ、Ｒ出力信号が生成されるようにオーディオ制御部１２１（又は１４４）が構成される。
【０１７８】
Mixer処理ブロック２０６及びＢＡＳＳ処理ブロック２０３から出力された音声信号は、図示していないVolume部に入力して、音場モードごとのゲインに基づいてスピーカに出力する音量のバランスを調整する処理が行われる。
【０１７９】
また、２１０、２１１は信号遅延回路（delay）であり、Ｌ、Ｒ、又はＣの各信号が直接信号遅延回路２１０の入力部に達するタイミングに対し、ＰＬ２処理ブロック２０７及びセレクタ２０５を通過したＬ、Ｒ、Ｃの各信号、あるいはＰＬ２処理ブロック２０７、ＶＳ処理ブロック２０２及びセレクタ２０５を通過したＬ、Ｒ、Ｃの各信号が信号遅延回路２１１の入力部に達するタイミングは時間的にずれがあるので、これらの信号タイミングが合うように調整して出力する信号遅延回路である。その他、図１８と同じ符号は同じものを示している。
【０１８０】
なお、ＶＳ処理ブロック２０１、ＶＳ処理ブロック２０２、ＰＬ２処理ブロック２０７は内部の処理について図示を省略している。例えば、ＶＳ処理ブロック２０１、２０２のバーチャルサラウンド処理はクロストークキャンセル処理を行うので入力信号ＬＳ、Ｌ、Ｒ、Ｃ、ＲＳを複雑に組み合わせて処理するが、これらについては表現されていない。ＶＳ処理ブロック２０１、２０２はバーチャルサラウンドの音場モードを実現する処理ブロックであり、従来より提案されている種々の方式（例えば特開平８−１４６９７４号公報、特開平９−４６８００号公報、特開平１０−６６１９８号公報などを参照）を適用することができる。また、ＰＬ２処理ブロック２０７はドルビー・サラウンド・プロロジック２（登録商標）の音場モードを実現する処理ブロックである。これらＶＳ処理ブロック、ＰＬ２処理ブロックの処理内容は既知の技術なので詳細説明は省略する。
【０１８１】
図２０は、入力チャンネル数が５．１ｃｈで音場モードが「じっくり視聴」におけるゲイン調整部Ｌ１〜Ｌ８、Ｃ１〜Ｃ８、Ｒ１〜Ｒ８の各ゲインの一例を示している。
【０１８２】
図２０に示すように、入力チャンネル数が５．１ｃｈで音場モードを「じっくり視聴」で音声出力する場合には、Mixer処理ブロック２０６のゲイン調整部のゲインがＬ６＝１、Ｃ７＝１、Ｒ８＝１でありその他は全て０である。このとき、ゲイン調整部Ｌ１〜Ｌ５、Ｃ１〜Ｃ５、Ｒ１〜Ｒ５のゲインが全て０であるから、信号遅延回路２０８からの信号はMixer処理ブロック２０６を通過しない。
【０１８３】
また、信号遅延回路２０９から出力されたＬ出力信号に対しMixer処理ブロック２０６のゲイン調整部のゲインがＬ６＝１、Ｃ６＝０、Ｒ６＝０となっているので、ＶＳ処理ブロック２０１のＬ出力信号がMixer処理ブロック２０６のゲイン調整部Ｌ６（ゲイン１）、加算器２１２を通り、オーディオ制御部１２１（あるいは１４４）のＬ出力信号になる。
【０１８４】
また、信号遅延回路２０９から出力されたＣ出力信号に対しMixer処理ブロック２０６のゲイン調整部のゲインがＬ７＝０、Ｃ７＝１、Ｒ７＝０となっているので、ＶＳ処理ブロック２０１のＣ出力信号がMixer処理ブロック２０６のゲイン調整部Ｃ７（ゲイン１）、加算器２１３を通り、オーディオ制御部１２１（あるいは１４４）のＣ出力信号になる。
【０１８５】
また、信号遅延回路２０９から出力されたＲ出力信号に対しMixer処理ブロック２０６のゲイン調整部のゲインがＬ８＝０、Ｃ８＝０、Ｒ８＝１となっているので、ＶＳ処理ブロック２０１のＲ出力信号がMixer処理ブロック２０６のゲイン調整部Ｒ８（ゲイン１）、加算器２１４を通り、オーディオ制御部１２１（あるいは１４４）のＲ出力信号となる。
【０１８６】
このように、オーディオ制御部１２１（あるいは１４４）の構成が調整されることにより、オーディオ制御部１２１（あるいは１４４）に入力されたＬＳ、Ｌ、Ｒ、Ｃ、ＲＳの各音声信号は、ＶＳ処理ブロック２０１によりバーチャルサラウンドの処理がなされてオーディオ制御部１２１（あるいは１４４）から３．１ｃｈのバーチャルサラウンドＬ、Ｒ、Ｃ、及びＬＦＥの各音声信号として出力される。
【０１８７】
同様にして、音場モード名が「ピュア再生」、「ながら視聴」、「声強調」のときについても、システムコントローラ１１５（あるいは１４４）の制御信号により、オーディオ制御部１２１（あるいは１４４）の構成とMixer処理ブロックのゲイン調整部のゲイン等が適切になるように切り替えられる。
【０１８８】
なお、上記した本発明の実施形態において、キーワードＤＢ３００、キーワード・ジャンル情報ＤＢ７００については、新しい番組タイトル名やキーワードとそのジャンル情報等を追加更新したデータベースをＷｅｂサーバに登録しておき、ユーザはテレビ受信機１又はパーソナルコンピュータを利用して更新されたデータベースをダウンロードして、テレビ受信機１又はオーディオ機器２が備えているフラッシュメモリに書き込むようにしてもよい。そして、テレビ受信機１又はオーディオ機器２に搭載されているプログラムは、このフラッシュメモリに書き込まれた最新のデータベースを参照することにより、放送番組の番組タイトル名や番組概要等の情報から抽出したキーワードに基づいて、放送番組に一層適合した音場制御を実行することができるようになる。
【０１８９】
また、テレビ受信機１にキーボードを接続して、フラッシュメモリに記憶されているキーワードＤＢ３００、キーワード・ジャンル情報ＤＢ７００に登録されているキーワードと音場モード名、及びジャンル情報等について、ユーザが追加、修正を行うことができるようにしてもよい。
【０１９０】
以上、本実施の形態を具体的に説明したが、本発明は上記実施の形態に限定されず、発明の要旨を逸脱しない範囲で変更して実施することができる。
【産業上の利用可能性】
【０１９１】
本発明は、テレビ受信機、パソコン、レコーダ、ＨＤＤ装置などで番組を録画／再生するような装置に広く利用できる。
【図面の簡単な説明】
【０１９２】
【図１】本発明の音場制御方法及び音場制御プログラム、音声再生装置を実現するための第１の実施の形態を示す図である。
【図２】本発明の音場制御方法及び音場制御プログラム、音声再生装置を実現するための第２の実施の形態を示す図である。
【図３】本発明の音場制御方法及び音場制御プログラム、音声再生装置を実現するための第３の実施の形態を示す図である。
【図４】本発明の第１〜第３の実施の形態におけるＨＤＭＩケーブルの接続を説明する図である。
【図５】本発明の第３の実施の形態におけるテレビ受信機、オーディオ機器、レコーダを概略制御ブロックで示した図である。
【図６】本発明の第３の実施の形態におけるテレビ受信機、オーディオ機器、レコーダをより詳細な制御ブロックで示した図である。
【図７】本発明の第３の実施の形態における、信号の流れを説明する図である。
【図８】本発明の第３の実施の形態における、他の信号の流れを説明する図である。
【図９】本発明の実施の形態における、キーワードデータベースのデータ構成の一例を説明するための図である。
【図１０】本発明の実施の形態における、音場制御情報テーブルのデータ構成の一例を説明するための図である。
【図１１】本発明の実施の形態における、ジャンル情報・入力チャンネル数別音場モードテーブルのデータ構成の一例を説明するための図である。
【図１２】本発明の実施の形態における、音場モード選択優先順位テーブルのデータ構成の一例を説明するための図である。
【図１３】本発明を実施するためのテレビ受信機が備えているプログラムの構成例を示した図である。
【図１４】本発明を実施するためのオーディオ機器が備えているプログラムの構成例を示した図である。
【図１５】本発明の音場制御方法について、その音場制御手順の一例を示したフローチャートである。
【図１６】本発明の実施の形態における、キーワード・ジャンル情報データベースのデータ構成の一例を説明するための図である。
【図１７】本発明の音場制御方法について、他の音場制御手順の一例を示したフローチャートである。
【図１８】本発明において、５．１ｃｈ入力時におけるオーディオ制御部の処理構成を示す図である。
【図１９】本発明において、２ｃｈ、１ｃｈ入力時におけるオーディオ制御部の処理構成を示す図である。
【図２０】本発明において、５．１ｃｈ入力時におけるMixer処理ブロックのゲイン調整部の各ゲインを示す図である。
【符号の説明】
【０１９３】
１・・・テレビ受信機（映像音声再生装置、受信手段）
２・・・オーディオ機器（音声再生装置、音声再生手段）
３〜５・・・レコーダ（番組記録再生装置、映像音声再生装置、受信手段）
６〜９、２５・・・ＨＤＭＩケーブル
１０〜１７、２６、２７・・・ＨＤＭＩ端子
１８・・・光ケーブル
２８・・・ＴＭＤＳチャンネル
２９１６５、１６９・・・ＣＥＣライン
３０、１６６、１７０・・・ＤＤＣライン
３１、１３４、１５８・・・ＥＤＩＤ−ＲＯＭ
４１〜４３・・・ホストＣＰＵ
４４・・・モニターマイコン
４５、４６・・・フロントマイコン
４７〜４９、５４、５５・・・インターフェース回路
５０、５１、１１０、１５９・・・ＨＤＭＩ受信用ＬＳＩ
５２、５３、１６０、１７１・・・ＨＤＭＩ送信用ＬＳＩ
１０４・・・アンテナ
１０５・・・チューナ
１０６・・・多重化復元部
１０７・・・映像復号部
１０８、１１２、１４２・・・セレクタ
１０９・・・表示部
１１１・・・コンテンツ情報復号部
１１３・・・デジタルオーディオインターフェース変調部
１１４・・・発光素子
１１５、１５６、１７２・・・システムコントローラ
１１６・・・リモコン受光部
１１７・・・リモコン
１１８・・・メモリ
１１９・・・操作部
１２０・・・音声復号部
１２１、１４４・・・オーディオ制御部
１２４、１４７・・・ボリューム
１２５〜１２８、１４８〜１５１・・・アンプ
１２９、１５２・・・左フロントスピーカ
１３０、１５３・・・右フロントスピーカ
１３１、１５４・・・センタスピーカ
１３２、１５５・・・サブウーファ
１３３、１５７・・・双方向インターフェース回路
１４０・・・受光素子
１４１・・・デジタルオーディオインターフェース復調部
１４３・・・音声復調部
１６１、１６７・・・ＴＭＤＳチャンネル
１８１・・・チャンネル数変換処理部
１８２・・・音場変更処理部
１８３・・・強調処理部
１８４・・・イコライザ処理部
１９１・・・チャンネル数変換処理部
１９２・・・音場変更処理部
１９３・・・強調処理部
１９４・・・イコライザ処理部
２００・・・音場モードテーブル
２０１、２０２・・・ＶＳ処理ブロック
２０３・・・ＢＡＳＳ処理ブロック
２０５・・・セレクタ
２０６・・・Ｍｉｘｅｒ処理ブロック
２０８、２０９・・・信号遅延回路
２１２、２１３、２１４、２１５・・・加算器
３００・・・キーワードデータベース
４００・・・音場制御情報テーブル
５００・・・ジャンル情報・入力チャンネル数別音場モードテーブル
６００・・・音場モード選択優先順位テーブル
７００・・・キーワード・ジャンル情報データベース
Ｐ３、Ｐ２３・・・キーワード抽出プログラム
Ｐ４、Ｐ２４・・・キーワード照合プログラム
Ｐ５、Ｐ２５・・・ジャンル情報判定プログラム
Ｐ６、Ｐ２６・・・ジャンル情報有効性判定プログラム
Ｐ７、Ｐ２７・・・優先順位による音場モード選択プログラム
Ｐ８、Ｐ２８・・・キーワードによる音場制御プログラム
Ｐ９、Ｐ２９・・・キーワード・ジャンル情報による音場制御プログラム
Ｐ１０、Ｐ３０・・・ジャンル・入力チャンネル数による音場制御プログラム
Ｐ１１、Ｐ３１・・・音場切り替え指令プログラム
【図１】
2008301148.tif 000003
【図２】
2008301148.tif 000004
【図３】
2008301148.tif 000005
【図４】
2008301148.tif 000006
【図５】
2008301148.tif 000007
【図６】
2008301148.tif 000008
【図７】
2008301148.tif 000009
【図８】
2008301148.tif 000010
【図９】
2008301148.tif 000011
【図１０】
2008301148.tif 000012
【図１１】
2008301148.tif 000013
【図１２】
2008301148.tif 000014
【図１３】
2008301148.tif 000015
【図１４】
2008301148.tif 000016
【図１５】
2008301148.tif 000017
【図１６】
2008301148.tif 000018
【図１７】
2008301148.tif 000019
【図１８】
2008301148.tif 000020
【図１９】
2008301148.tif 000021
【図２０】
2008301148.tif 000022